(57)【要約】【課題】従来よりも、安全性を向上し得る蓄電池システムを提供する。【解決手段】蓄電池システムは、二次電池１０１と、二次電池１０１から外部へ電力を供給するための端子を含む接続部１０２と、二次電池１０１の電力を消費する電力消費部１０５と、接続部１０２を介さずに電力消費部１０５に二次電池１０１の残電力を電力消費させる回路と、を備え、回路は、二次電池１０１の電圧が放電終止電圧よりも大きく、かつ、満充電を示す電圧よりも小さい第２の閾値電圧以下であることを要件として、放電終止電圧よりも大きく、第２の閾値電圧よりも小さい第１の閾値電圧になるまで電力消費部１０５に二次電池１０１の残電力を電力消費させる第１の放電を行い、第１の放電は、二次電池１０１の継続使用可否の判定を行うための放電である。【選択図】図２
2020124107.tif 000002
【特許請求の範囲】
【請求項１】
二次電池と、
前記二次電池から外部へ電力を供給するための端子を含む接続部と、
前記二次電池の電力を消費する電力消費部と、
前記接続部を介さずに前記電力消費部に前記二次電池の残電力を電力消費させる回路と、を備え、
前記回路は、
前記二次電池の電圧が放電終止電圧よりも大きく、かつ、満充電を示す電圧よりも小さい第２の閾値電圧以下であることを要件として、前記放電終止電圧よりも大きく、前記第２の閾値電圧よりも小さい第１の閾値電圧になるまで前記電力消費部に前記二次電池の残電力を電力消費させる第１の放電を行い、
前記第１の放電は、前記二次電池の継続使用可否の判定を行うための放電である、
蓄電池システム。
【請求項２】
二次電池と、
前記二次電池から外部へ電力を供給するための端子を含む接続部と、
前記二次電池の電力を消費する電力消費部と、
前記接続部を介さずに前記電力消費部に前記二次電池の残電力を電力消費させる回路と、を備え、
前記回路は、
前記二次電池の電圧が放電終止電圧よりも大きく、かつ、満充電を示す電圧よりも小さい第２の閾値電圧以下であることを要件として、前記放電終止電圧になるまで前記電力消費部に前記二次電池の残電力を電力消費させる第１の放電を行い、
前記第１の放電は、前記二次電池の継続使用可否の判定を行うための放電である、
蓄電池システム。
【請求項３】
前記回路を作動させる指示を外部より受け付ける受付部を備え、
前記受付部で前記指示を受け付けると、前記回路に
前記二次電池の電圧が、前記放電終止電圧よりも小さい第３の閾値電圧以下となるまで前記電力消費部に前記二次電池の残電力を電力消費させる第２の放電を行わせる、
請求項１または２に記載の蓄電池システム。
【請求項４】
前記受付部が外部から前記指示を受け付けると、前記回路を作動させ、前記電力消費部に前記第２の放電を行わせる制御部を備える、
請求項３記載の蓄電池システム。
【請求項５】
前記受付部は、外部からの前記指示を無線通信で受信する受信部であり、前記制御部は、前記受信部を介して前記指示を受信すると、前記回路を作動させ、前記電力消費部に前記第２の放電を行わせる、
請求項４記載の蓄電池システム。
【請求項６】
前記受付部が外部から前記指示を受け付けると、前記二次電池が廃棄予定であることを報知する報知部を備える、
請求項３−５のいずれか１項に記載の蓄電池システム。
【請求項７】
前記電力消費部による前記第２の放電が終了すると、前記二次電池が廃棄予定であることを報知する報知部を備える、
請求項３−５のいずれか１項に記載の蓄電池システム。
【請求項８】
前記受付部が外部から指示を受け付けると、前記二次電池の回収業者への連絡を促す情報を情報端末に報知する報知器を備える、
請求項３−５のいずれか１項に記載の蓄電池システム。
【請求項９】
前記電力消費部による前記第２の放電が終了すると、前記二次電池の回収業者への連絡を促す情報を情報端末に報知する報知器を備える、
請求項３−５のいずれか１項に記載の蓄電池システム。
【請求項１０】
前記電力消費部が前記第２の放電を行っていることを報知する報知部を備える、
請求項３−９のいずれか１項に記載の蓄電池システム。
【請求項１１】
前記電力消費部による前記第２の放電が完了したことを報知する報知部を備える、
請求項３−１０のいずれか１項に記載の蓄電池システム。
【請求項１２】
前記蓄電池システムが異常であると、前記回路を作動させ、前記電力消費部に前記第２の放電を行わせる制御部を備える、
請求項３−１１のいずれか１項に記載の蓄電池システム。
【請求項１３】
前記蓄電池システムが異常であると、前記回路を作動させ、前記電力消費部に、前記二次電池の電圧が、前記放電終止電圧よりも小さい第３の閾値電圧以下となるまで前記電力消費部に前記二次電池の残電力を電力消費させる第２の放電を行わせる、
請求項１または２に記載の蓄電池システム。
【請求項１４】
前記制御部は、自身が作動可能な容量を残した状態で、前記第２の放電を終了させる、
請求項４または１２に記載の蓄電池システム。
【請求項１５】
外部装置と通信可能な通信部を備え、
前記制御部は、前記電力消費部による前記第２の放電を終了する際に、前記二次電池の残存容量を示す情報を前記通信部を介して前記外部装置に送信する、
請求項４、１２、１４のいずれか１項に記載の蓄電池システム。
【請求項１６】
外部装置と通信可能な通信部を備え、
前記制御部は、前記電力消費部による前記第２の放電を終了後に、前記二次電池の残存容量を示す情報を前記通信部を介して前記外部装置に送信する、
請求項４、１２、１４、１５のいずれか１項に記載の蓄電池システム。
【請求項１７】
前記二次電池は、複数のセルを備え、前記制御部は、前記第２の放電において全ての前記セルの電圧が０Ｖになる前に、前記回路の動作を停止し、前記第２の放電を終了させる、
請求項４、１２、１４−１６のいずれか１項に記載の蓄電池システム。
【請求項１８】
前記制御部は、前記第２の放電において、少なくとも１つの前記セルの電圧が０Ｖになると、前記回路の動作を停止し、前記第２の放電を終了させる、
請求項１７記載の蓄電池システム。
【請求項１９】
前記制御部は、前記第２の放電において、少なくとも１つの前記セルの電圧が０Ｖになると、前記回路の動作を停止し、前記第２の放電を終了させる、
請求項１７記載の蓄電池システム。
【請求項２０】
前記制御部は、前記二次電池の充電開始を検知した場合に、前記第１の放電を行った後に前記二次電池の充電を開始する、
請求項４、１２、１４−１９のいずれか１項に記載の蓄電池システム。
【請求項２１】
前記二次電池は、複数のセルを含み、
前記電力消費部は、前記複数のセル間の電圧を調整するためのセルバランス用抵抗を含む、
請求項１−２０のいずれか１項に記載の蓄電池システム。
【請求項２２】
前記電力消費部は、前記二次電池が放電した電力を消費することによって発熱する発熱体である、
請求項１−２１のいずれか１項に記載の蓄電池システム。
【請求項２３】
前記発熱体は、前記二次電池の周囲を囲う、
請求項２２記載の蓄電池システム。
【請求項２４】
前記蓄電池システム内部の温度が低下すると前記回路を作動させ、前記電力消費部により前記二次電池を加熱する制御部を備える、
請求項２１または２３に記載の蓄電池システム。
【請求項２５】
前記第１の放電の要件は、さらに、前回前記第１の放電を行ってから所定期間が経過したことを要件として含む、
請求項１−２４のいずれか１項に記載の蓄電池システム。
【発明の詳細な説明】
【技術分野】
【０００１】
本開示は、蓄電池システムに関する。
【背景技術】
【０００２】
電気機器に電力を供給するための蓄電池パックは、充電装置によって充電される。
【０００３】
ここで、二次電池を備えるパック蓄電に異常が生じると、異常が生じたパック電池を使用不能にして、内部的にダミー抵抗に接続して、二次電池に蓄積されたエネルギ−を強制的に放電させることが提案されている（例えば、特許文献１参照）また、複数の二次電池の単電池を並列接続した組電池において、所定の単電池に異常が生じると、充放電回路から遮断するとともに放電回路に接続し、単電池の不要な容量（電気エネルギー）を除去することが提案されている。
【先行技術文献】
【特許文献】
【０００４】
【特許文献１】特開２０１０−２５１１０４号公報
【特許文献２】特開２０１２−１８２８９０号公報
【発明の概要】
【発明が解決しようとする課題】
【０００５】
しかしながら、上記従来技術では、安全性の点で検討が十分でなかった。
【０００６】
本開示は、従来よりも、安全性を向上し得る蓄電池システム等を提供する。
【課題を解決するための手段】
【０００７】
上記課題を解決するため、本開示の一態様に係る蓄電池システムは、二次電池と、前記二次電池から外部へ電力を供給するための端子を含む接続部と、前記二次電池の電力を消費する電力消費部と、前記接続部を介さずに前記電力消費部に前記二次電池の残電力を電力消費させる回路と、を備え、前記回路は、前記二次電池の電圧が放電終止電圧よりも大きく、かつ、満充電を示す電圧よりも小さい第２の閾値電圧以下であることを要件として、前記放電終止電圧よりも大きく、前記第２の閾値電圧よりも小さい第１の閾値電圧になるまで前記電力消費部に前記二次電池の残電力を電力消費させる第１の放電を行い、前記第１の放電は、前記二次電池の継続使用可否の判定を行うための放電である。
【０００８】
なお、これらの包括的または具体的な態様は、システム、方法、集積回路、コンピュータプログラムまたはコンピュータ読み取り可能なＣＤ−ＲＯＭなどの記録媒体で実現されてもよい。また、これらの包括的または具体的な態様は、システム、方法、集積回路、コンピュータプログラム及び記録媒体の任意な組み合わせで実現されてもよい。
【発明の効果】
【０００９】
本開示の一態様に係る蓄電池パック等は、従来よりも安全性が向上する。
【図面の簡単な説明】
【００１０】
【図１】図１は、実施の形態１に係る蓄電池パックの、充電装置と分離した状態の外観斜視図である。
【図２】図２は、実施の形態１に係る蓄電池パックの、充電装置と接続された状態の外観斜視図である。
【図３】図３は、実施の形態１における他の例の蓄電池パックの外観図である。
【図４】図４は、実施の形態１に係る蓄電池パックのシステム構成を示すブロック図である。
【図５】図５は、実施例１の蓄電池パックの動作フローを示す図である。
【図６】図６は、実施例１の蓄電池パックの動作を示すフローチャートである。
【図７】図７は、実施例２の蓄電池パックのシステム構成を示すブロック図である。
【図８】図８は、実施例２の蓄電池パックの動作フローを示す図である。
【図９】図９は、実施例２の蓄電池パックの動作を示すフローチャートである。
【図１０】図１０は、実施例３の蓄電池パックの動作フローを示す図である。
【図１１】図１１は、実施例３の蓄電池パックの動作を示すフローチャートである。
【図１２】図１２は、実施例４の蓄電池パックの動作フローを示す図である。
【図１３】図１３は、実施例４の蓄電池パックの動作を示すフローチャートである。
【図１４】図１４は、実施例５の蓄電池パックの動作フローを示す図である。
【図１５】図１５は、実施例５の蓄電池パックの動作を示すフローチャートである。
【図１６】図１６は、実施例６の蓄電池パックの動作フローを示す図である。
【図１７】図１７は、実施例６の蓄電池パックの動作を示すフローチャートである。
【図１８】図１８は、実施の形態２の蓄電池パックの外観斜視図である。
【図１９】図１９は、実施の形態２の蓄電池パックのシステム構成図である。
【図２０】図２０は、実施の形態２に係る蓄電池パックの基本動作を説明するための第１の図である。
【図２１】図２１は、実施の形態２に係る蓄電池パックの基本動作を説明するための第２の図である。
【図２２】図２２は、実施の形態２に係る蓄電池パックの基本動作を説明するための第３の図である。
【図２３】図２３は、二次電池の第１の放電及び第２の放電を説明するための図である。
【図２４】図２４は、第１の放電及び第２の放電のフローチャートである。
【図２５】図２５は、セルバランス用抵抗を説明するための図である。
【図２６】図２６は、実施の形態５に係る蓄電池パックの内部構成を示す斜視図である。
【図２７】図２７は、実施の形態５に係るヒーターの構成を示す図である。
【図２８】図２８は、実施の形態５に係る蓄電池パックの動作例を説明するための図である。
【図２９】図２９は、画像表示部を備える蓄電池パックの外観斜視図である。
【発明を実施するための形態】
【００１１】
上記従来の蓄電池パックにおいては、異常が生じたとき、二次電池の残電力を放電することが開示されているが、どの程度まで放電するのが適切かは検討されていない。
【００１２】
一方、二次電池は、通常、電圧が規格値（放電終止電圧）になると保護回路が作動して、放電が停止される。二次電池は、放電終止電圧よりも小さい電圧で放電を行うと二次電位の性能が劣化するため、保護回路が作動することで、二次電池が保護される。保護回路はスイッチング素子を含み、保護回路の作動時にスイッチング素子は開放（ＯＦＦ）される。
【００１３】
本発明者は鋭意検討した結果、以下の知見を得た。二次電池を、電圧が放電終止電圧になるまで放電させると、二次電池を廃棄処理において破壊しても、二次電池からの発火、発煙の可能性は小さくなる。しかしながら、放電終止電圧になるまで放電させても二次電池の残算容量は存在するため、場合によっては、廃棄処理等において、蓄電池パックの取扱者の感電、発熱による火傷等の問題が発生する。
【００１４】
そこで、本開示の第１形態は、二次電池と、前記二次電池の電力を消費する電力消費部を含み、前記二次電池の電圧が、放電終止電圧よりも小さい電圧になるまで前記電力消費部に前記二次電池の残電力を電力消費させる回路と、を備える蓄電池パックである。
【００１５】
これにより、従来に比べ、蓄電池パックの取扱者の火傷、感電等が発生する可能性が低減され、安全性が向上する。
【００１６】
ここで、上記電圧は、電圧自体、及び電圧に相関する物理量のいずれであってもよい。電圧に相関する物理量としては、二次電池の容量、二次電池の出力電流等が例示される。
【００１７】
本開示の第２形態は、上記第１形態において、前記二次電池の電圧が、前記放電終止電圧になると開放して、前記二次電池の放電を停止させるスイッチング素子を備え、前記回路は前記スイッチング素子を含まない蓄電池パックであってもよい。
【００１８】
これにより、二次電池が放電終止電圧よりも小さい電圧であっても、電力消費部により二次電池の電力を消費させることができる。
【００１９】
本開示の第３形態は、上記第１形態において、前記二次電池の電圧が、前記放電終止電圧になると前記二次電池の放電を停止させるスイッチング素子を備え、前記回路は、前記二次電池に対して前記スイッチング素子よりも上流の電路で、前記スイッチング素子を含む回路と分岐している、蓄電池パックであってもよい。
【００２０】
これにより、二次電池が放電終止電圧よりも小さい電圧であっても、電力消費部により二次電池の電力を消費させることができる。
【００２１】
本開示の第４形態は、上記第１−第３形態のいずれか１つにおいて、前記回路を作動させる指示を外部より受け付ける受付部と、前記受付部で前記指示を受け付けると、前記回路が作動し、前記電力消費部が前記二次電池の残電力を消費する蓄電池パックであってもよい。
【００２２】
これにより、外部からの指示で蓄電池パックの取扱者の火傷、感電の可能性を低減することができる。また、例えば、蓄電池パックの異常が発生しても、外部より前記指示が実行されたときに、電力消費部による二次電池の残電力の消費（以下、残電力消費と称してもよい）が実行され、前記指示が実行されなければ、上記残電力消費が実行されない。つまり、例えば、蓄電池パックに異常が発生したときに、必要に応じて、適宜、上記残電力消費が実行される。換言すれば、例えば、蓄電池パックに異常が発生したときに、上記残電力消費が不要であるにも拘わらず、これが実行されることを低減し得る。
【００２３】
ここで、外部とは、回路を作動させる指示を実行可能であれば、いずれの形態であってもよいが、例えば、蓄電池パックの利用者、蓄電池パックの回収業者、サーバ装置、情報端末等が挙げられる。
【００２４】
本開示の第５形態は、上記第４形態において、前記受付部が外部から前記指示を受け付けると、前記回路を作動させ、前記電力消費部に前記二次電池の残電力を消費させる制御部を備える、蓄電池パックであってもよい。
【００２５】
これにより、外部からの指示で蓄電池パックの取扱者の火傷、感電の可能性を低減することができる。また、例えば、蓄電池パックに異常が発生しても、必要に応じて、適宜、電力消費部による二次電池の残電力の消費が実行される。
【００２６】
本開示の第６形態は、上記第４形態において、前記受付部は、操作者に操作される機械式スイッチであり、操作者が前記機械式スイッチに対して前記回路を作動させる操作を行うと、前記回路が作動し、前記電力消費部に前記二次電池の残電力を消費させる蓄電池パックであってもよい。
【００２７】
これにより、操作者の機械式スイッチの操作により蓄電池パックの取扱者の火傷、感電の可能性を低減することができる。また、例えば、蓄電池パックに異常が発生しても、必要に応じて、適宜、電力消費部による二次電池の残電力の消費が実行される。
【００２８】
本開示の第７形態は、上記第５形態において、前記受付部は、操作者に操作されるスイッチであり、操作者が前記スイッチに対して前記回路を作動させる操作を行うと、前記制御部は、前記回路を作動させ、前記電力消費部に前記二次電池の残電力を消費させる、蓄電池パックであってもよい。
【００２９】
これにより、操作者のスイッチ操作により取扱者の火傷、感電の可能性を低減することができる。また、例えば、蓄電池パックに異常が発生しても、必要に応じて、適宜、電力消費部による二次電池の残電力の消費が実行される。
【００３０】
本開示の第８形態は、上記第５形態において、前記受付部は、外部からの前記指示を無線通信で受信する受信部であり、前記制御部は、前記受信部を介して前記指示を受信すると、前記回路を作動させ、前記電力消費部に前記二次電池の残電力を消費させる、蓄電池パックであってもよい。
【００３１】
これにより、無線通信を介した外部からの指示により、蓄電池パックの取扱者の火傷、感電の可能性を低減することができる。また、例えば、蓄電池パックに異常が発生しても、必要に応じて、適宜、電力消費部による二次電池の残電力の消費が実行される。
【００３２】
本開示の第９形態は、上記第４−第８形態のいずれか１つにおいて、前記受付部が外部から前記指示を受け付けると、前記二次電池が廃棄予定であることを報知する報知部を備える、蓄電池パックであってもよい。
【００３３】
前記受付部より上記指示がなされると、電力消費部による二次電池の残電力の消費が実行され、通常、その後、蓄電池パックの廃棄が行われる。
【００３４】
従って、これにより、例えば、蓄電池パックの異常の発生に伴い前記蓄電池パックが廃棄予定であることを報知する場合に比べ、蓄電池パックの利用者に蓄電池パックの廃棄の意図が見込まれるときに、廃棄予定であることが報知される。つまり、蓄電池パックの利用者が蓄電池パックの廃棄を意図していないにも拘わらず、廃棄予定であると報知されるケースの発生を低減できる。
【００３５】
本開示の第１０形態は、上記第１−第８形態のいずれか１つにおいて、前記電力消費部による前記二次電池の電力の消費が終了すると、前記二次電池が廃棄予定であることを報知する報知部を備える、蓄電池パックであってもよい。
【００３６】
電力消費部による二次電池の残電力の消費が終了すると、通常、その後、蓄電池パックの廃棄が行われる。
【００３７】
従って、これにより、蓄電池パックの利用者が蓄電池パックの廃棄を意図していないにも拘わらず、廃棄予定であると報知されるケースの発生を低減できる。
【００３８】
本開示の第１１形態は、上記第４−第８形態のいずれか１つにおいて、前記受付部が外部から指示を受け付けると、前記二次電池の回収業者への連絡を促す情報を情報端末に報知する報知器を備える、蓄電池パックであってもよい。
【００３９】
前記受付部より上記指示がなされると、電力消費部による二次電池の残電力の消費が実行され、通常、その後、蓄電池パックの廃棄が行われる。
【００４０】
従って、これにより、例えば、蓄電池パックの異常の発生に伴い回収業者への連絡を促す情報が報知される場合比べ、より廃棄が実行される可能性の高いときに、上記情報が携帯端末に報知される。つまり、蓄電池パックの利用者が廃棄を意図してないにも拘わらず、情報端末に回収業者への連絡を促す情報が報知されるケースの発生を低減できる。
【００４１】
本開示の第１２形態は、上記第１−第８形態のいずれか１つにおいて、前記電力消費部による前記二次電池の電力の消費が終了すると、前記二次電池の回収業者への連絡を促す情報を情報端末に報知する報知器を備える、蓄電池パックであってもよい。
【００４２】
電力消費部による二次電池の残電力の消費が終了すると、通常、その後、蓄電池パックの廃棄が行われる。
【００４３】
従って、これにより、蓄電池パックの利用者が蓄電池パックの廃棄を意図していないにも拘わらず、情報端末に回収業者への連絡を促す情報が報知されるケースの発生を低減できる。
【００４４】
本開示の第１３形態は、上記第１−第１２形態のいずれか１つにおいて、前記電力消費部で前記二次電池の残電力が消費されていることを報知する報知部を備える、蓄電池パックであってもよい。
【００４５】
これにより、蓄電池パックの残電力が電力消費部で消費されていることを把握できる。
【００４６】
本開示の第１４形態は、上記第１−第１３形態のいずれか１つにおいて、前記電力消費部での電力の消費が終了したことを報知する報知部を備える、蓄電池パックであってもよい。
【００４７】
これにより、電力消費部による二次電池の残電力の消費が終了したことを把握することができる。
【００４８】
本開示の第１５形態は、上記第１−第３、第１０、第１２−第１４形態のいずれか１つにおいて、前記蓄電池パックが異常であると、前記回路を作動させ、前記電力消費部に前記二次電池の残電力を消費させる制御部を備える、蓄電池パックであってもよい。
【００４９】
これにより、蓄電池パックが異常であるとき、自動的に、電力消費部による二次電池の残電力の消費が実行され、従来に比べ、蓄電池パックの取扱者の火傷、感電の可能性を低減することができる。
【００５０】
本開示の第１６形態は、上記第５形態、第７形態、第８形態、及び第１５形態のいずれか１つにおいて、前記制御部は、自身が作動可能な容量を残した状態で、前記回路の動作を停止し、前記電力消費部による前記二次電池の残電力の消費を終了させる、蓄電池パックであってもよい。
【００５１】
これにより、電力消費部による二次電池の残電力消費が終了した後、制御部を介した動作が可能になる。上記動作は適宜設定されるが、例えば、蓄電池パックに設けられた通信部を介して外部に蓄電池パックの状態情報を送信する動作であってもよい。ここで、蓄電池パックの状態情報は、蓄電池パックの状態を示す情報で、例えば、二次電池の電圧、残存容量等が例示されるが、本例に限定されない。また、外部とは、蓄電池パックの情報を保持しているサーバ装置、蓄電池パックの利用者の情報端末等が例示される。
【００５２】
本開示の第１７形態は、上記第５形態、第７形態、第８形態、第１５形態及び第１６形態のいずれか１つにおいて、外部装置と通信可能な通信部を備え、前記制御部は、前記電力消費部による前記二次電池の残電力の消費を終了する際に、前記二次電池の残存容量を示す情報を前記通信部を介して前記外部装置に送信する、蓄電池パックであってもよい。
【００５３】
これにより、電力消費部による二次電池の残電力の消費が終了したときの、二次電池の残存容量を把握することが可能になる。従って、二次電池の残電力消費が確実に実行されたか否かを把握することが可能になる。
【００５４】
ここで、二次電池の残存容量を示す情報とは、残存容量自体及び残存容量に相関する物理量のいずれであってもよい。残存容量に相関する物理量としては、例えば、二次電池の電圧、出力電流等が例示される。
【００５５】
本開示の第１８形態は、上記第５形態、第７形態、第８形態、第１５形態及び第１６形態のいずれか１つにおいて、外部装置と通信可能な通信部を備え、前記制御部は、前記電力消費部による前記二次電池の残電力の消費を終了後に、前記二次電池の残存容量を示す情報を前記通信部を介して前記外部装置に送信する、蓄電池パックであってもよい。
【００５６】
これにより、電力消費部による二次電池の残電力の消費が終了したときの、二次電池の残存容量を把握することが可能になる。従って、二次電池の残電力消費が確実に実行されたか否かを把握することが可能になる。
【００５７】
ここで、二次電池の残存容量を示す情報とは、残存容量自体及び残存容量に相関する物理量のいずれであってもよい。残存容量に相関する物理量としては、例えば、二次電池の電圧、出力電流等が例示される。
【００５８】
本開示の第１９形態は、上記第５形態、第７形態、第８形態、及び第１５形態のいずれか１つにおいて、前記二次電池は、複数のセルを備え、前記制御部は、全ての前記セルの電圧が０Ｖになる前に、前記回路の動作を停止し、前記電力消費部による前記二次電池の残電力の消費を終了させる、蓄電池パックであってもよい。
【００５９】
二次電池が複数のセルを備えるとき、各セルのＳＯＨ（Ｓｔａｔｅ  ｏｆ  Ｈｅａｌｔｈ）が均一であればよいが、蓄電池パックの使用に伴い各セルのＳＯＨが異なってくる。なお、ＳＯＨは二次電池の劣化度を示す指標で、例えば、未使用時の二次電池の満充電容量に対する現在の満充電容量の比である。ここで、二次電池の残電力の消費を行うと、各セルの電圧も異なり、相対的に早く残存容量が０、つまり、電圧が０Ｖになるセルが生じる。０Ｖになったセルについて更に放電させると転極が生じ、安全性上問題がある。
【００６０】
そこで、全ての前記セルの電圧が０Ｖになる前に、前記電力消費部による前記二次電池の電力の消費を終了させることで、全てのセルの電圧が０Ｖになるまで放電する場合に比べ、転極が生じるセル数が減少し、安全性が向上する。
【００６１】
本開示の第２０形態は、上記第１９形態において、前記制御部は、少なくとも１つの前記セルの電圧が０Ｖになると、前記回路の動作を停止し、前記電力消費部による前記二次電池の残電力の消費を終了させる、蓄電池パックであってもよい。
【００６２】
これにより、二次電池の残電力消費により転極が生じるセル数が減少し、安全性が向上する。
【００６３】
本開示の第２１形態は、上記第５形態、第７形態、第８形態、第１５形態−第２０形態のいずれか１つにおいて、電気機器と着脱自在に接続される接続部を備え、前記制御部は、前記二次電池の電圧が放電終止電圧になるまで、前記電力消費部だけでなく、前記接続部を介して前記電気機器に前記二次電池の残電力を消費させる、蓄電池パックであってもよい。
【００６４】
これにより、より速やかに二次電池の残電力を消費させることができる。
【００６５】
本開示の第２２形態は、上記第５形態、第７形態、第８形態、第１５形態−第２０形態のいずれか１つにおいて、前記二次電池を充電するために充電装置に着脱自在に接続される接続部を備え、前記接続部が前記充電装置に接続されている状態で前記二次電池の充電開始を検知すると、前記制御部は、前記二次電池の残存容量を示す値が前記二次電池の継続使用可否を判定するための第１の閾値以下になるまで前記電力消費部を用いて前記二次電池を放電させる、蓄電池パックであってもよい。
【００６６】
これにより、上記放電が充電時に行われるため、ユーザは、継続使用可否の判定のために、別途、二次電池を放電させる必要がない。また、蓄電容量が少なくなっていると推定される充電時に二次電池の放電が行われるため、放電に要する時間を短縮できる。
【００６７】
以上のような適切なタイミングで放電が行われるため、ユーザが蓄電池パックを電気機器への電力供給に使用可能な時間が確保しやすくなり、蓄電池パックの利便性が向上する。
【００６８】
ここで、残存容量を示す値は、残存容量自体及び残存容量に相関する物理量のいずれであってもよい。残存容量に相関する物理量としては、二次電池の電圧、二次電池の出力電流等が例示される。
【００６９】
本開示の第２３形態は、上記第１形態−第２２形態のいずれか１つにおいて、前記二次電池は、複数のセルを含み、前記電力消費部は、前記複数のセル間の電圧を調整するためのセルバランス用抵抗を含む蓄電池パックであってもよい。
【００７０】
このように、二次電池の放電には、セルバランス用抵抗が用いられてもよい。
【００７１】
本開示の第２４形態は、上記第１形態−第２３形態のいずれか１つにおいて、前記電力消費部は、前記二次電池が放電した電力を消費することによって発熱する発熱体であってもよい。
【００７２】
これにより、電力消費部を用いて蓄電池パックを加熱することが可能になる。
【００７３】
本開示の第２５形態は、上記第２４形態において、前記発熱体は、前記二次電池の周囲を囲う、蓄電池パックであってもよい。
【００７４】
これにより、電力消費部を用いて二次電池の周囲を加熱することができる。
【００７５】
本開示の第２６形態は、上記第２４形態または第２５形態において、前記制御部は、前記蓄電池パック内部の温度が低下すると前記回路を作動させ、前記電力消費部により前記二次電池を加熱する、蓄電池パックであってもよい。
【００７６】
これにより、蓄電池パックの温度低下が緩和され、二次電池の低温化に伴う動作不良の発生頻度が緩和される。
【００７７】
本開示の第２７形態は、上記第２２形態において、前記制御部は、前記二次電池の残存容量を示す値が前記第１の閾値よりも大きく、かつ、満充電を示す値よりも小さい第２の閾値以下であると、前記放電を行う、蓄電池パックであってもよい。
【００７８】
これにより、二次電池の残存容量が満充電よりも少ないときに上記放電が行われるため、満充電のときに上記放電を実行する場合に比べ、短時間で二次電池を放電させることができる。
【００７９】
本開示の第２８形態は、上記第２２形態において、前記放電の履歴を記憶する記憶部を備え、前記制御部は、前記放電が行われてから所定期間が経過すると、次の放電を行う、蓄電池パックであってもよい。
【００８０】
これにより、二次電池の放電は、二次電池の充電ごとではなく、所定期間の経過を要件として行われる。したがって、所定期間の設定によっては、充電の時間間隔が短く、寿命の変化が小さいと考えられるようなときの不必要な放電を減らすことができる。さらに、放電回数を減らすことで、二次電池の劣化（寿命の短縮）を抑制することができる。所定期間は、充電が実行される時間間隔よりも長く設定される。
【００８１】
本開示の第２９形態は、上記第２２形態、第２７形態及び第２８形態のいずれか１つにおいて、前記制御部は、さらに、前記二次電池の残存容量を示す値が満充電を示す値から前記第１の閾値以下になるまでの前記二次電池の放電量に基づいて、前記二次電池の継続使用可否を判定する。
【００８２】
本開示の第３０形態は、上記第２２形態、第２７形態及び第２８形態のいずれか１つにおいて、さらに、外部装置と通信する通信部を備え、前記二次電池の残存容量を示す値が満充電を示す値から前記第１の閾値以下になるまでの前記二次電池の放電量を前記外部装置に送信し、前記外部装置から前記二次電池の継続使用可否を示す情報を受信する、蓄電池パックであってもよい。
【００８３】
このように、放電後の二次電池の継続使用可否は、蓄電池パックによって判定されてもよいし、外部装置（例えば、充電装置、サーバ装置、情報端末等）によって判定されてもよい。
【００８４】
本開示の第３１形態は、上記第２２形態、第２７形態−第３０形態のいずれか１つにおいて、さらに、前記放電中であることを示す情報、及び、前記二次電池の継続使用可否を示す情報の少なくとも一方を表示する表示部を備える、蓄電池パックであってもよい。
【００８５】
これにより、蓄電池パック単体で二次電池の状態を確認することができる。
【００８６】
本開示の第３２形態は、上記第２２形態、第２７形態及び第２８形態のいずれか１つにおいて、さらに、外部装置と通信する通信部を備え、前記制御部が、前記放電中であることを示す情報、及び、前記二次電池の継続使用可否を示す情報の少なくとも一方を前記通信部を介して前記外部装置に送信する、蓄電池パックであってもよい。
【００８７】
これにより、外部装置を介して二次電池の状態を把握し得る。ここで、外部装置は、充電装置、サーバ装置、情報端末等が例示される。
【００８８】
本開示の第３３形態は、上記第２２形態、第２７形態−第３２形態のいずれか１つにおいて、前記二次電池が継続使用不可であると判定されると、前記制御部は、前記二次電池の残存容量を示す値が第１の閾値よりも小さい第３の閾値以下になるまで前記電力消費部を用いて前記二次電池を放電させる、蓄電池パックであってもよい。
【００８９】
このように、継続使用不可と判定された二次電池をさらに放電させることにより、発火、発煙等の危険性を低減できる。したがって、蓄電池パックの廃棄における安全性を向上することができる。
【００９０】
ここで、第３の閾値は、放電終止電圧よりも小さい電圧であるときの二次電池の残存容量を示す値であってもよい。
【００９１】
このとき、蓄電池パックの取扱者の火傷、感電等の危険性を低減できる。
【００９２】
本開示の第３４形態は、上記第２２形態、第２７形態−第３３形態のいずれか１つにおいて、さらに、前記蓄電池パックの異常を検知する異常検知部を備え、前記異常検知部が前記蓄電池パックの異常を検知すると、前記制御部は、前記二次電池の残存容量を示す値が第１の閾値よりも小さい第３の閾値以下になるまで前記電力消費部を用いて前記二次電池を放電させる、蓄電池パックであってもよい。
【００９３】
これにより、蓄電池パックの異常が検知されると、二次電池をさらに放電させて、発火、発煙等の危険性を低減できる。したがって、異常が検知された蓄電池パックの廃棄において、安全性を向上することができる。
【００９４】
本開示の第３５形態は、上記第３４形態において、さらに、前記異常検知部が前記蓄電池パックの異常を検知すると、異常を示す情報を表示する表示部を備える蓄電池パックであってもよい。
【００９５】
これにより、二次電池の異常発生時に、蓄電池パック単体で外部に異常を知らせることができる。
【００９６】
本開示の第３６形態は、上記第３４形態において、さらに、充電装置と通信する通信部を備え、前記制御部は、前記異常検知部が前記蓄電池パックの異常を検知すると、前記通信部を介して異常を示す情報を前記充電装置に送信する、蓄電池パックであってもよい。
【００９７】
これにより、蓄電池パックの異常発生を充電装置側で検知することができる。
【００９８】
本開示の第３７形態は、第２２形態、第２７形態−第３６形態のいずれか１つにおいて、前記二次電池から前記接続部に接続された電気機器に流れる電流と、前記二次電池から前記電力消費部に流れる電流とを測定する電流測定部を備え、前記電流測定部は、前記二次電池と、前記電力消費部との間に設けられる。
【００９９】
これにより、電力消費部を用いて二次電池を放電させるときの二次電池の電流値を確認することができる。
【０１００】
ここで、上記電気機器は、例えば、蓄電池パックを充電する充電装置である。充電装置内の負荷により、二次電池の残電力を消費できる。
【０１０１】
本開示の第３８形態は、上記第２２形態において、前記制御部は、前記電力消費部だけでなく、前記接続部に接続された電気機器に前記二次電池の電力を消費させる、蓄電池パックであってもよい。
【０１０２】
これにより、より速やかに二次電池の継続使用可否を判定できる。
【０１０３】
ここで、上記電気機器は、例えば、蓄電池パックを充電する充電装置である。充電装置内の負荷により、二次電池の残電力を消費できる。
【０１０４】
本開示の第３９形態は、上記第５形態、第７形態、第１５形態−第３８形態のいずれか１つにおいて、さらに、前記二次電池と前記電力消費部との電気的接続の有無を切り替える切替部を備え、前記制御部は、前記切替部を制御して前記二次電池と前記電力消費部とを電気的に接続することにより前記放電を行う、蓄電池パックであってもよい。
【０１０５】
このように、上記放電は、具体的には、例えば、切替部の制御に基づいて行われる。
【０１０６】
また、本開示の第４０形態は、電力消費部を含む回路を作動させるステップ（ａ）と、二次電池の電圧が、放電終止電圧よりも小さい電圧になるまで前記電力消費部で前記二次電池の残電力を消費させるステップ（ｂ）を備える、蓄電池パックの動作方法である。
【０１０７】
これにより、従来に比べ、蓄電池パックの取扱者の火傷、感電等が発生する可能性が低減され、安全性が向上する。
【０１０８】
本開示の第４１形態は、上記第４０形態において、前記二次電池の電圧が、前記放電終止電圧になると開放して、前記二次電池の放電を停止させるスイッチング素子を備え、前記回路は前記スイッチング素子を含まない、蓄電池パックの動作方法である。
【０１０９】
これにより、二次電池が放電終止電圧よりも小さい電圧であっても、電力消費部により二次電池の電力を消費させることができる。
【０１１０】
本開示の第４２形態は、上記第４０形態において、前記二次電池の電圧が、前記放電終止電圧になると前記二次電池の放電を停止させるスイッチング素子を備え、前記回路は、前記二次電池に対して前記スイッチング素子よりも上流の電路で、前記スイッチング素子を含む回路と分岐している、蓄電池パックの動作方法である。
【０１１１】
これにより、二次電池が放電終止電圧よりも小さい電圧であっても、電力消費部により二次電池の電力を消費させることができる。
【０１１２】
本開示の第４３形態は、上記第４０形態において、前記回路を作動させる指示を外部より受け付けるステップ（ｃ）を備え、前記指示を受け付けると、前記ステップ（ａ）を実行する、蓄電池パックの動作方法であってもよい。
【０１１３】
これにより、外部からの指示で蓄電池パックの取扱者の火傷、感電の可能性を低減することができる。また、例えば、蓄電池パックの異常が発生しても、外部より前記指示が実行されたときに、電力消費部による二次電池の残電力の消費（以下、残電力消費と称してもよい）が実行され、前記指示が実行されなければ、上記残電力消費が実行されない。つまり、例えば、蓄電池パックに異常が発生したときに、必要に応じて、適宜、上記残電力消費が実行される。換言すれば、例えば、蓄電池パックに異常が発生したときに、上記残電力消費が不要であるにも拘わらず、これが実行されることを低減し得る。
【０１１４】
本開示の第４４形態は、上記第４３形態において、前記指示を受け付けると、前記ステップ（ａ）において、制御部が、前記回路を作動させ、前記二次電池の残電力を消費させる、蓄電池パックの動作方法であってもよい。
【０１１５】
これにより、外部からの指示で蓄電池パックの取扱者の火傷、感電の可能性を低減することができる。また、例えば、蓄電池パックに異常が発生しても、必要に応じて、適宜、電力消費部による二次電池の残電力の消費が実行される。
【０１１６】
本開示の第４５形態は、上記第４３形態において、前記ステップ（ｃ）は、前記蓄電池パックに設けられた機械式スイッチが、操作者により前記回路を作動させる操作を受けるステップである、蓄電池パックの動作方法であってもよい。
【０１１７】
これにより、操作者の機械式スイッチの操作により、蓄電池パックの取扱者の火傷、感電の可能性を低減することができる。また、例えば、蓄電池パックに異常が発生しても、必要に応じて、適宜、電力消費部による二次電池の残電力の消費が実行される。
【０１１８】
本開示の第４６形態は、上記第４４形態において、前記ステップ（ｃ）は、前記蓄電池パックに設けられたスイッチが操作者により前記回路を作動させる操作を受けるステップである、蓄電池パックの動作方法であってもよい。
【０１１９】
これにより、操作者のスイッチ操作により蓄電池パックの取扱者の火傷、感電の可能性を低減することができる。また、例えば、蓄電池パックに異常が発生しても、必要に応じて、適宜、電力消費部による二次電池の残電力の消費が実行される。
【０１２０】
本開示の第４７形態は、上記第４４形態において、前記ステップ（ｃ）は、外部から前記指示を無線通信で受信するステップである、蓄電池パックの動作方法であってもよい。
【０１２１】
これにより、無線通信を介した外部からの指示により、蓄電池パックの取扱者の火傷、感電の可能性を低減することができる。また、例えば、蓄電池パックに異常が発生しても、必要に応じて、適宜、電力消費部による二次電池の残電力の消費が実行される。
【０１２２】
本開示の第４８形態は、上記第４３−第４７形態のいずれか１つにおいて、前記受付部が外部から前記指示を受け付けると、前記二次電池が廃棄予定であることを報知するステップ（ｄ３）を備える、蓄電池パックの動作方法であってもよい。
【０１２３】
上記指示がなされると、電力消費部による二次電池の残電力の消費が実行され、通常、その後、蓄電池パックの廃棄が行われる。
【０１２４】
従って、これにより、例えば、蓄電池パックの異常の発生に伴い前記蓄電池パックが廃棄予定であることを報知する場合に比べ、蓄電池パックの利用者に蓄電池パックの廃棄の意図が見込まれるときに、廃棄予定であることが報知される。つまり、例えば、蓄電池パックの異常が発生したとき、蓄電池パックの利用者が蓄電池パックの廃棄を意図していないにも拘わらず、廃棄予定であると報知されるケースの発生を低減できる。
【０１２５】
本開示の第４９形態は、上記第４０−第４７形態のいずれか１つにおいて、前記電力消費部による前記二次電池の電力の消費が終了すると、前記二次電池が廃棄予定であることを報知するステップ（ｄ４）を備える、蓄電池パックの動作方法であってもよい。
【０１２６】
電力消費部による二次電池の残電力の消費が実行されると、通常、その後、蓄電池パックの廃棄が行われる。
【０１２７】
従って、これにより、蓄電池パックの利用者が蓄電池パックの廃棄を意図していないにも拘わらず、廃棄予定であると報知されるケースの発生を低減できる。
【０１２８】
本開示の第５０形態は、上記第４３−第４７形態のいずれか１つにおいて、前記受付部が外部から指示を受け付けると、前記二次電池の回収業者への連絡を促す情報を情報端末に報知するステップ（ｄ５）を備える、蓄電池パックの動作方法であってもよい。
【０１２９】
上記指示がなされると、電力消費部による二次電池の残電力の消費が実行され、通常、その後、蓄電池パックの廃棄が行われる。
【０１３０】
従って、これにより、例えば、蓄電池パックの異常の発生に伴い回収業者への連絡を促す情報が報知される場合比べ、蓄電池パックの利用者に蓄電池パックの廃棄の意図が見込まれるときに、上記情報が情報端末に報知される。つまり、蓄電池パックの利用者が廃棄を意図してないにも拘わらず、情報端末に回収業者への連絡を促す情報が報知されるケースの発生を低減できる。
【０１３１】
本開示の第５１形態は、上記第４０−第４７形態のいずれか１つにおいて、前記電力消費部による前記二次電池の電力の消費が終了すると、前記二次電池の回収業者への連絡を促す情報を情報端末に報知するステップ（ｄ６）を備える、蓄電池パックの動作方法であってもよい。
【０１３２】
電力消費部による二次電池の残電力の消費が実行されると、通常、その後、蓄電池パックの廃棄が行われる。
【０１３３】
従って、これにより、蓄電池パックの利用者が蓄電池パックの廃棄を意図していないにも拘わらず、情報端末に回収業者への連絡を促す情報が報知されるケースの発生を低減できる。
【０１３４】
本開示の第５２形態は、上記第４０−第５１形態のいずれか１つにおいて、前記電力消費部で前記二次電池の残電力が消費されていることを報知するステップ（ｄ１）を備える、蓄電池パックの動作方法であってもよい。
【０１３５】
これにより、蓄電池パックの残電力が電力消費部で消費されていることを把握できる。
【０１３６】
本開示の第５３形態は、上記第４０−第５２形態のいずれか１つにおいて、前記電力消費部での前記二次電池の残電力の消費が終了したことを報知するステップ（ｄ２）を備える、蓄電池パックの動作方法であってもよい。
【０１３７】
これにより、電力消費部による二次電池の残電力の消費が終了したことを把握することができる。
【０１３８】
本開示の第５４形態は、上記第４０、第４９、第５１−第５３形態のいずれか１つにおいて、前記蓄電池パックが異常であると、前記ステップ（ａ）を実行する、蓄電池パックの動作方法であってもよい。
【０１３９】
これにより、蓄電池パックが異常であるとき、電力消費部による二次電池の残電力の消費が実行され、従来に比べ、蓄電池パックの取扱者の火傷、感電の可能性を低減することができる。
【０１４０】
本開示の第５５形態は、上記第４４形態、第４６形態、第４７形態、及び第５４形態のいずれか１つにおいて、自身が作動可能な容量を残した状態で前記電力消費部による前記二次電池の残電力の消費を終了するステップ（ｅ）を備える、蓄電池パックの動作方法であってもよい。
【０１４１】
これにより、電力消費部による二次電池の残電力消費が終了した後も蓄電池パックの動作が可能になる。上記動作は適宜設定されるが、例えば、蓄電池パックに設けられた通信部を介して外部に蓄電池パックの状態情報を送信する動作であってもよい。ここで、蓄電池パックの状態情報は、蓄電池パックの状態を示す情報であり、例えば、二次電池の電圧、残存容量等が例示されるが、これらに限定されない。また、外部とは、蓄電池パックの情報を保持しているサーバ装置、蓄電池パックの利用者の情報端末等が例示される。
【０１４２】
本開示の第５６形態は、上記第４４形態、第４６形態、第４７形態、第５４形態及び第５５形態のいずれか１つにおいて、前記電力消費部による前記二次電池の残電力の消費を終了する際に、前記二次電池の残存容量を示す情報を蓄電池パックに設けられた通信部を介して外部装置に送信するステップ（ｆ１）を備える、蓄電池パックの動作方法であってもよい。
【０１４３】
これにより、電力消費部による二次電池の残電力の消費が終了する際の、二次電池の残存容量を把握することが可能になる。従って、二次電池の残電力消費が確実に実行されたか否かを把握することが可能になる。
【０１４４】
本開示の第５７形態は、上記第４４形態、第４６形態、第４７形態、第５４形態及び第５５形態のいずれか１つにおいて、前記電力消費部による前記二次電池の残電力の消費を終了後に、前記二次電池の残存容量を示す情報を蓄電池パックに設けられた通信部を介して外部装置に送信するステップ（ｆ２）を備える、蓄電池パックの動作方法であってもよい。
【０１４５】
これにより、電力消費部による二次電池の残電力の消費を終了した後の、二次電池の残存容量を把握することが可能になる。従って、二次電池の残電力消費が確実に実行されたか否かを把握することが可能になる。
【０１４６】
本開示の第５９形態は、上記第４４形態、第４６形態、第４７形態、及び第５４形態のいずれか１つにおいて、前記二次電池は、複数のセルを備え、全ての前記セルの電圧が０Ｖになる前に、前記電力消費部による前記二次電池の残電力の消費を終了させるステップ（ｇ）を備える、蓄電池パックの動作方法であってもよい。
【０１４７】
二次電池が複数のセルを備えるとき、各セルの劣化度（ＳＯＨ）が均一であればよいが、蓄電池パックの使用に伴い各セルの劣化度が異なってくる。ここで、二次電池の残電力の消費を行うと、各セルの電圧も異なり、相対的に早く電圧が０Ｖになるセルが生じる。０Ｖになったセルについて更に放電させると転極が生じ、安全性上問題がある。
【０１４８】
そこで、全ての前記セルの電圧が０Ｖになる前に、前記電力消費部による前記二次電池の電力の消費を終了させることで、全てのセルの電圧が０Ｖになるまで放電する場合に比べ、転極が生じるセル数が減少し、安全性が向上する。
【０１４９】
本開示の第５９形態は、上記第５８形態において、ステップ（ｇ）において、少なくとも１つの前記セルの電圧が０Ｖになると、前記電力消費部による前記二次電池の残電力の消費を終了させる、蓄電池パックの動作方法であってもよい。
【０１５０】
これにより、二次電池の残電力消費により転極が生じるセル数が減少し、安全性が向上する。
【０１５１】
本開示の第６０形態は、上記第４４形態、第４６形態、第４７形態、第５４形態−第５９形態のいずれか１つにおいて、前記ステップ（ｂ）において、前記二次電池の電圧が放電終止電圧になるまで、前記電力消費部だけでなく、前記蓄電池パックと前記電気機器とを電気的に接続する接続部を介して前記電気機器に前記蓄電の電力を供給し、前記二次電池の残電力を消費させる、蓄電池パックの動作方法であってもよい。
【０１５２】
本開示の第６１形態は、上記第４４形態、第４６形態、第４７形態、第５４形態−第５９形態のいずれか１つにおいて、前記二次電池を充電するために充電装置に着脱自在に接続される接続部が前記充電装置に接続されている状態で前記二次電池の充電開始を検知すると、前記二次電池の残存容量を示す値が前記二次電池の継続使用可否を判定するための第１の閾値以下になるまで前記電力消費部を用いて前記二次電池を放電させるステップ（ｈ）を備える、蓄電池パックの動作方法であってもよい。
【０１５３】
これにより、上記放電が充電時に行われるため、ユーザは、継続使用可否の判定のために、別途、二次電池を放電させる必要がない。また、蓄電容量が少なくなっていると推定される充電時に二次電池の放電が行われるため、放電に要する時間を短縮できる。
【０１５４】
以上のような適切なタイミングで放電が行われるため、ユーザが蓄電池パックを機器への電力供給に使用可能な時間が確保され、蓄電池パックの利便性を向上させることができる。
【０１５５】
本開示の第６２形態は、上記第４０形態−第６１形態のいずれか１つにおいて、前記二次電池は、複数のセルを含み、前記電力消費部は、前記複数のセル間の電圧を調整するためのセルバランス用抵抗を含む蓄電池パックの動作方法であってもよい。
【０１５６】
このように、二次電池の放電には、セルバランス用抵抗が用いられてもよい。
【０１５７】
本開示の第６３形態は、上記第４０形態−第６２形態のいずれか１つにおいて、前記電力消費部は、前記二次電池が放電した電力を消費することによって発熱する発熱体である、蓄電池パックの動作方法であってもよい。
【０１５８】
これにより、電力消費部を用いて蓄電池パックを加熱することが可能になる。
【０１５９】
本開示の第６４形態は、上記第６３形態において、前記発熱体は、前記二次電池の周囲を囲う、蓄電池パックの動作方法であってもよい。
【０１６０】
これにより、電力消費部を用いて二次電池の周囲を加熱することができる。
【０１６１】
本開示の第６５形態は、上記第６３形態または第６４形態において、前記蓄電池パック内部の温度が低下すると前記回路を作動させ、前記電力消費部により前記二次電池を加熱するステップ（ｉ）を備える、蓄電池パックの動作方法であってもよい。
【０１６２】
これにより、蓄電池パックの温度低下が緩和され、二次電池の低温化に伴う動作不良の発生頻度が緩和される。
【０１６３】
本開示の第６６形態は、上記第６１形態において、前記ステップ（ｉ）において、前記二次電池の残存容量が前記第１の閾値よりも大きく、かつ、満充電を示す値よりも小さい第２の閾値以下であると、前記放電を行う、蓄電池パックの動作方法であってもよい。
【０１６４】
これにより、二次電池の残存容量が満充電よりも少ないときに上記放電が行われるため、満充電のときに上記放電を実行する場合に比べ、短時間で二次電池を放電させることができる。
【０１６５】
本開示の第６７形態は、上記第６１形態において、前記放電の履歴を記憶するステップ（ｊ）と、前記放電が行われてから所定期間が経過すると、次の放電を行うステップ（ｋ）とを備える、蓄電池パックの動作方法であってもよい。
【０１６６】
これにより、二次電池の放電は、二次電池の充電ごとではなく、所定期間の経過を要件として行われる。したがって、充電の時間間隔が短く、寿命の変化が小さいと考えられるようなときの不必要な放電を減らすことができる。さらに、放電回数を減らすことで、二次電池の劣化（寿命の短縮）を抑制することができる。所定期間は、充電が実行される時間間隔よりも長く設定される。
【０１６７】
本開示の第６８形態は、上記第６１形態、第６６形態及び第６７形態のいずれか１つにおいて、さらに、前記二次電池の残存容量が満充電を示す値から前記第１の閾値以下になるまでの前記二次電池の放電量に基づいて、前記二次電池の継続使用可否を判定するステップ（ｌ）を備える、蓄電池パックの動作方法であってもよい。
【０１６８】
本開示の第６９形態は、上記第６１形態、第６６形態及び第６７形態のいずれか１つにおいて、さらに、前記蓄電池パックに設けられた通信部を介して、前記二次電池の残存容量を示す値が満充電を示す値から前記第１の閾値以下になるまでの前記二次電池の放電量を前記外部装置に送信するステップ（ｍ）、前記外部装置から前記二次電池の継続使用可否を示す情報を受信するステップ（ｎ）、蓄電池パックの動作方法であってもよい。
【０１６９】
このように、放電後の二次電池の継続使用可否は、蓄電池パックによって判定されてもよいし、外部装置（例えば、充電装置、サーバ装置、情報端末等）によって判定されてもよい。
【０１７０】
本開示の第７０形態は、上記第６１形態、第４６形態−第６９形態のいずれか１つにおいて、さらに、前記放電中であることを示す情報、及び、前記二次電池の継続使用可否を示す情報の少なくとも一方を表示するステップ（ｏ）を備える、蓄電池パックの動作方法であってもよい。
【０１７１】
これにより、蓄電池パック単体で二次電池の状態を確認することができる。
【０１７２】
本開示の第７１形態は、上記第６１形態、第６６形態及び第６７形態のいずれか１つにおいて、蓄電池パックに設けられた通信部を介して、前記放電中であることを示す情報、及び、前記二次電池の継続使用可否を示す情報の少なくとも一方を前記外部装置に送信するステップ（ｐ）を備える、蓄電池パックの動作方法であってもよい。
【０１７３】
これにより、外部装置を介して二次電池の状態を把握し得る。ここで、外部装置は、充電装置、サーバ装置、情報端末等が例示される。
【０１７４】
本開示の第７２形態は、上記第６１形態、第６６形態−第７１形態のいずれか１つにおいて、前記二次電池が継続使用不可であると判定されると、前記二次電池の残存容量が第１の閾値よりも小さい第３の閾値以下になるまで前記電力消費部を用いて前記二次電池を放電させるステップ（ｑ）を備える、蓄電池パックの動作方法であってもよい。
【０１７５】
このように、継続使用不可と判定された二次電池をさらに放電させることにより、発火、発煙等の危険性を低減できる。したがって、蓄電池パックの廃棄における安全性を向上することができる。
【０１７６】
ここで、第３の閾値は、放電終止電圧よりも小さい電圧であるときの二次電池の残存容量を示す値であってもよい。
【０１７７】
このとき、蓄電池パックの取扱者の火傷、感電等の危険性を低減できる。
【０１７８】
本開示の第７３形態は、上記第６１形態、第６６形態−第７２形態のいずれか１つにおいて、さらに、前記蓄電池パックが異常であると、前記二次電池の残存容量を示す値が第１の閾値よりも小さい第３の閾値以下になるまで前記電力消費部を用いて前記二次電池を放電させるステップ（ｒ）を備える、蓄電池パックの動作方法であってもよい。
【０１７９】
これにより、蓄電池パックが異常であるとき、二次電池をさらに放電させて発火、発煙等の危険性を低減できる。したがって、蓄電池パックの廃棄において、安全性を向上することができる。
【０１８０】
ここで、第３の閾値は、放電終止電圧よりも小さい電圧であるときの二次電池の残存容量を示す値であってもよい。
【０１８１】
このとき、蓄電池パックの取扱者の火傷、感電等の危険性を低減できる。
【０１８２】
本開示の第７４形態は、上記第７３形態において、前記蓄電池パックが異常であると、異常を示す情報を表示するステップ（ｓ）を備える蓄電池パックの動作方法であってもよい。
【０１８３】
これにより、蓄電池パックの異常発生時に、蓄電池パック単体で外部に異常を知らせることができる。
【０１８４】
本開示の第７５形態は、上記第７３形態において、前記蓄電池パックが異常であると、前記蓄電池パックに設けられた通信部を介して、異常を示す情報を前記充電装置に送信するステップ（ｔ）を備える、蓄電池パックの動作方法であってもよい。
【０１８５】
これにより、蓄電池パックの異常発生を充電装置側で検知することができる。
【０１８６】
本開示の第７６形態は、第６１形態、第６６形態−第７５形態のいずれか１つにおいて、前記二次電池と前記電力消費部との間に設けられた電流測定部により前記二次電池から前記接続部に接続された電気機器に流れる電流を測定するステップ（ｕ）と、前記二次電池から前記電力消費部に流れる電流とを測定するステップ（ｖ）とを備える、蓄電池パックの動作方法であってもよい。
【０１８７】
これにより、電力消費部を用いて二次電池を放電させるときの二次電池の電流値を確認することができる。
【０１８８】
本開示の第７７形態は、上記第６１形態において、ステップ（ｈ）において、前記電力消費部だけでなく、前記接続部に接続された電気機器に前記二次電池の残電力を消費させる、蓄電池パックの動作方法であってもよい。
【０１８９】
これにより、より速やかに二次電池の継続使用可否を判定できる。
【０１９０】
本開示の第７８形態は、上記第４４形態、第４６形態、第５４形態−第７７形態のいずれか１つにおいて、前記二次電池と前記電力消費部との電気的接続の有無を切り替えて前記二次電池と前記電力消費部とを電気的に接続することにより前記回路を作動させる、蓄電池パックの動作方法であってもよい。
【０１９１】
このように、上記放電は、例えば、前記二次電池と前記電力消費部との電気的接続の有無を切り替えて行われる。
【０１９２】
以下、本開示の一態様に係る蓄電池パックについて、図面を参照しながら具体的に説明する。
【０１９３】
なお、以下で説明する実施の形態は、いずれも本開示の一具体例を示すものである。以下の実施の形態で示される数値、形状、材料、構成要素、構成要素の配置位置及び接続形態、ステップ、ステップの順序などは、一例であり、本開示を限定する主旨ではない。また、以下の実施の形態における構成要素のうち、最上位概念を示す独立請求項に記載されていない構成要素については、任意の構成要素として説明される。
【０１９４】
なお、各図は模式図であり、必ずしも厳密に図示されたものではない。また、各図において、実質的に同一の構成に対しては同一の符号を付しており、重複する説明は省略または簡略化される場合がある。
【０１９５】
（実施の形態１）
実施の形態１に係る蓄電池パックについて説明する。
【０１９６】
［全体構成］
実施の形態１の蓄電池パック１００の全体構成について説明する。図１及び図２は、実施の形態１に係る蓄電池パック及び充電装置の外観斜視図である。図１は、蓄電池パック１００と充電装置２００とが分離された状態を示し、図２は、蓄電池パック１００と充電装置２００とが接続された状態を示す。
【０１９７】
まず、蓄電池パック１００について説明する。図１及び図２に示すように、蓄電池パック１００は、本体部１２０と、接続部１０２と、表示部１０９とを備える。
【０１９８】
蓄電池パック１００は、電気機器に接続される蓄電池パックである。例えば、蓄電池パック１００は、電動移動体、電力需要家が使用する電気機器、電動工具等に対する電源として利用される。電動移動体としては、電動アシスト自転車、電動バイク、電動車椅子、電気自動車、ハイブリッド自動車等が例示される。需要家が使用する電気機器としては、エアコン、照明装置、冷蔵庫、医療機器、空調設備等が例示される。電動工具としては、電動ドリルが例示される。
【０１９９】
なお、蓄電池パック１００は、特定の電気機器専用の蓄電池パックであってもよい。
【０２００】
また、蓄電池パック１００は、複数の種類の異なる電気機器に用いられてもよい。例えば、蓄電池パック１００は、例えば、電動アシスト自転車と、照明装置との両方に用いられてもよい。
【０２０１】
本体部１２０は、二次電池や二次電池の制御回路等が内部に設けられた、略直方体形状の蓄電池パック１００の本体である。本体部１２０の上面には、ユーザが蓄電池パック１００を保持するための保持部１３０及び受付部１１４が設けられ、本体部１２０の下面（底面）には、接続部１０２が設けられる。本例では、保持部１３０は、蓄電池パック１００の持ち手であるが、例示であり、これに限定されるものではない。
【０２０２】
受付部１１４は、電力消費部を含む回路を作動させる指示を外部より受け付ける。受付部１１４は、上記指示を受付可能であれば、いずれの形態であっても構わない。受付部１１４は、例えば、スイッチであってもよいし、上記指示を無線通信で受け付ける通信部であってもよい。スイッチは、操作者によりオン操作されると、制御部を介さず電力消費部による二次電池の残電力消費が実行される機械式スイッチであってもよいし、制御部を介して二次電池の残電力消費が実行されるスイッチであってもよい。なお、受付部１１４は、ユーザによって誤って押下されないように、ピンなどの先端でのみ押下できるように構成されていてもよい。
【０２０３】
また、受付部１１４が、スイッチであるとき、図３に示すように本体部１２０の下面に設けられていてもよい。受付部１１４であるスイッチは、図３に示すように、シール１１４ａにより覆われていてもよい。このとき、スイッチは、シール１１４ａを外して操作される。
【０２０４】
また、上記外部は、指示者であってもよいし、外部装置であってもよい。指示者としては、蓄電池パック１００のユーザ、回収業者等が例示される。外部装置としては、情報端末、サーバ装置等が例示される。情報端末は、例えば、スマートフォン等の携帯電話、スマートタブレット、ノートＰＣ等が例示される。
【０２０５】
受付部１１４で上記指示を受け付けると、電力消費部により二次電池の残電力が消費される。これにより、外部からの指示で、蓄電池パックの取扱者の火傷、感電の可能性を低減することができる。また、例えば、蓄電池パックの異常が発生しても、外部より前記指示が実行されたときに、電力消費部による二次電池の残電力の消費が実行され、前記指示が実行されなければ、上記残電力消費が実行されない。つまり、例えば、蓄電池パックに異常が発生したときに、必要に応じて、適宜、上記残電力消費が実行される。換言すれば、例えば、蓄電池パックに異常が発生したときに、上記残電力消費が不要であるにも拘わらず、これが実行されることを低減し得る。
【０２０６】
接続部１０２は、電気機器に着脱自在に取り付けられる。接続部１０２内には、蓄電池パックを充電または放電するための複数の端子が設けられている。接続部１０２に接続される電気機器は、二次電池１０１の電力を消費して動作する電気機器であってもよいし、二次電池１０１を充電する充電装置２００であってもよい。接続部１０２が充電装置２００の端子部２０２に接続されると、これらの端子は充電装置２００の内部回路と電気的に接続される。なお、接続部１０２には、充電用の端子と、放電用の端子と、通信用（制御用）の端子とが別個に設けられてもよい。
【０２０７】
表示部１０９は、残量表示ボタン１０９ａと、残量表示部１０９ｂと、異常表示部１０９ｃとを備える。
【０２０８】
残量表示部１０９ｂは、主として蓄電池パック１００が内蔵する二次電池の残存容量を表示する表示部である。残量表示部１０９ｂは、具体的には、複数のＬＥＤ（Ｌｉｇｈｔ  Ｅｍｉｔｔｉｎｇ  Ｄｉｏｄｅ）を備え、点灯させるＬＥＤの個数により二次電池の残存容量を表示する。また、残量表示部１０９ｂは、二次電池の残存容量だけでなく、蓄電池パックの他の状態を報知する報知部として機能してもよい。例えば、残量表示部１０９ｂがＬＥＤ等の発光部であるとき、発光部が点滅することで、電力消費部１０５により二次電池１０１の残電力を消費中であること、蓄電池パック１００が充電中であること、蓄電池パックが異常であること等を報知してもよい。また、発光部の点滅速度及び点滅数の少なくとも一方を用いて、これらの複数の状態を区別して報知してもよい。
【０２０９】
残量表示ボタン１０９ａは、ユーザによって押圧されるボタンである。残量表示ボタン１０９ａが押されることにより、残量表示部１０９ｂのうち蓄電池パック１００が内蔵している二次電池の残存容量に応じた個数のＬＥＤ（残量表示部１０９ｂ）を点灯させる。
【０２１０】
異常表示部１０９ｃは、蓄電池パック１００の異常を示す情報を外部に報知する。これにより、蓄電池パック１００の異常発生時に、蓄電池パック１００単体でユーザに異常を知らせることができる。異常表示部１０９ｃは、例えば、ＬＥＤにより構成されるが、異常を外部に報知できるのであれば、どのような態様であってもよい。例えば、表示画面に異常が発生していることを示す文字情報、画像情報等の情報を表示してもよい。
【０２１１】
次に、充電装置２００について説明する。充電装置２００は、本体部２１０と、端子部２０２と、プラグ２０１とを備える。
【０２１２】
充電装置２００は、蓄電池パック１００の充電器である。
【０２１３】
本体部２１０は、充電装置２００の内部回路等を収容する充電装置２００の本体である。本体部２１０の上面に設けられた凹部は、蓄電池パック１００の接続部１０２が接続される端子部２０２であり、本体部２１０の側面には、電源ケーブルを介してプラグ２０１が設けられている。
【０２１４】
端子部２０２は、接続部１０２に適合する形状及び大きさの凹部であり、接続部１０２が着脱自在（着脱可能）に接続される。端子部２０２の底面には、接続部１０２が備える複数の端子に対応した、複数の端子が設けられる。端子部２０２と接続部１０２とが接続されることにより、端子部２０２内の各端子と、接続部１０２内に設けられた各端子とが接続される。これにより、蓄電池パック１００の内部回路と、充電装置２００の内部回路とが電気的に接続される。
【０２１５】
プラグ２０１は、受電部の一例であり、充電装置２００が外部電源から電力の供給を受けるために当該外部電源の電力供給部（例えば、コンセント）に接続される。ここで、外部電源とは、商用系統、または太陽電池システム、燃料電池システム等の自己発電式の電源が例示される。なお、充電装置２００は、プラグ２０１に代えて、ＵＳＢコネクタ（ＵＳＢソケット）などにより外部電源から電力の供給を受けてもよい。
【０２１６】
［システム構成］
次に、蓄電池パック１００のシステム構成について説明する。図４は、実施の形態１に係る蓄電池パック１００のシステム構成を示すブロック図である。
【０２１７】
図４に示すように、蓄電池パック１００は、二次電池１０１と、接続部１０２と、スイッチ１０３と、スイッチ１０４と、電力消費部１０５と、記憶部１０６と、制御部１０７と、電圧検知部１０８と、表示部１０９と、異常検知部１１２、回路１１６とを備える。
【０２１８】
二次電池１０１は、複数の単電池（例えば、リチウムイオン電池、ニッケル水素電池など）であるセルが並列及び直列に接続されることで構成されている。
【０２１９】
接続部１０２は、上述のように二次電池１０１を充電するために充電装置２００の端子部２０２に着脱自在に接続される。また、接続部１０２は、電気機器に着脱自在に接続可能（電気的及び機械的に接続可能）である。
【０２２０】
スイッチ１０３は、制御部１０７の制御に基づいて、二次電池１０１と電力消費部１０５との電気的接続のオン及びオフ、つまり、電気的接続の有無を切り替える切替スイッチ（切替部）である。スイッチ１０３としては、例えば、ＭＯＳＦＥＴ、リレーなどが使用される。また、受付部１１４及びスイッチ１０３が機械式スイッチであるとき、スイッチ１０４は、制御部１０７の制御でオン及びオフが切替えられず、操作者の受付部１１４への操作によりオン及びオフが直接切替えられる。
【０２２１】
スイッチ１０４は、制御部１０７の制御に基づいて、二次電池１０１と接続部１０２との電気的接続のオン及びオフを切り替える切替スイッチ（切替部）である。スイッチ１０４としては、例えば、ＭＯＳＦＥＴなどが使用される。スイッチ１０４は、二次電池１０１の電圧が、二次電池１０１の放電が停止される規格値（放電終止電圧）になると、制御部１０７の制御により開放される。つまり、スイッチ１０４は、本開示のスイッチング素子の一例である。
【０２２２】
電力消費部１０５は、二次電池１０１を放電させるための負荷である。電力消費部１０５は、例えば、抵抗体、ヒーター、またはＰＴＣサーミスタなどである。
【０２２３】
記憶部１０６は、二次電池１０１の電圧値が保持される。また、二次電池１０１の電圧値だけでなく、二次電池の状態を示す他の状態量の値が保持されていてもよい。二次電池の他の状態量としては、二次電池の残存容量、二次電池の出力電流、二次電池の温度、二次電池の劣化度等が例示される。二次電池の劣化度には、例えば、二次電池の充放電サイクル数、二次電池の内部抵抗、二次電池の学習容量等が用いられてもよい。なお、二次電池の電圧値、二次電池の出力電流値は、残存容量に相関する物理量の値として、残存容量を示す値に含まれてもよい。
【０２２４】
記憶部１０６は、例えば、フラッシュメモリなどの半導体メモリなど、どのような記憶装置であってもよい。
【０２２５】
制御部１０７は、回路１１６の動作を制御する。制御部１０７は、制御機能を有するものであればよく、演算処理部（図示せず）と、制御プログラムを記憶する記憶部（図示せず）とを備える。演算処理部としては、ＭＰＵ、ＣＰＵが例示される。記憶部としては、メモリが例示される。制御器は、集中制御を行う単独の制御器で構成されていてもよく、互いに協働して分散制御を行う複数の制御器で構成されていてもよい。なお、制御プログラムを記憶する上記記憶部は、記憶部１０６が兼用してもよい。
【０２２６】
具体的には、制御部１０７は、スイッチ１０３に制御信号を出力することで、スイッチ１０３のオン及びオフを制御する。これにより、回路１１６の動作がオン及びオフされ、電力消費部１０５による二次電池１０１の電力消費をオン及びオフできる。また、制御部１０７は、スイッチ１０４に制御信号を出力することにより、スイッチ１０４のオン及びオフを制御する。制御部１０７は、このようなスイッチ１０４の制御により、接続部１０２を介した電気機器への二次電池１０１の電力供給をオン及びオフできる。また、二次電池１０１が接続部１０２を介して充電装置２００に接続されているときは、スイッチ１０４をオン及びオフすることで、二次電池１０１への充電をオン及びオフすることができる。また、制御部１０７は、電圧検知部１０８によって検知された二次電池１０１の電圧値を示すデータを取り込んで記憶部１０６に記憶する。制御部１０７は、具体的には、マイクロコンピュータであるが、プロセッサや、専用回路によって構成されてもよい。
【０２２７】
電圧検知部１０８は、二次電池１０１の電圧を検知する。電圧検知部１０８は、例えば、二次電池１０１の電圧自体を検知してもよいし、電圧に相関する物理量を検知してもよい。電圧に相関する物理量としては、例えば、二次電池１０１の残存容量、二次電池１０１の出力電流が挙げられる。電圧検知部１０８は、具体的には、専用回路（ＩＣ）であるが、マイクロコンピュータや、プロセッサとして実現されてもよい。
【０２２８】
表示部１０９は、図１及び図２を用いて説明したような二次電池１０１の各種状態または動作を表示する。
【０２２９】
異常検知部１１２は、蓄電池パック１００の異常を検知して制御部１０７に通知する。異常検知部１１２は、蓄電池パック１００の異常を検知するセンサであれば、いずれの形態であってもよい。異常検知部１１２は、具体的には、例えば、二次電池の状態量を検知するセンサ、衝撃センサ、水没センサ、又は解体センサなどである。異常検知部１１２が衝撃センサであるときには、蓄電池パック１００が受けた衝撃の有無だけではなく、大きさ及び方向が測定でき、また、受けた衝撃の履歴が記録できるセンサであってもよい。二次電池の状態量の異常としては、例えば、二次電池の電圧異常、温度異常、劣化度異常（電池寿命）、短絡異常等が例示される。電圧異常としては、二次電池１０１を構成するセルの電圧バランスの異常が例示される。温度異常としては、二次電池１０１の温度が閾値以上の温度になったとき（高温異常）が例示される。電池寿命は、二次電池１０１の充放電サイクル数が閾値以上になったときが例示される。短絡異常は、二次電池１０１の放電が行われていないときの二次電池１０１の電圧低下量が閾値以上であるときが例示される。なお、上記異常に、二次電池の電圧異常を含むとき、電圧検知部１０８は、異常検知部１１２として兼用される。
【０２３０】
回路１１６は、電力消費部１０５を含む電気回路である。具体的には、回路１１６は、二次電池１０１、スイッチ１０３、電力消費部１０５及びこれらを結ぶ電気伝導体を備える。電気伝導体は、例えば、導線である。また、回路１１６は、図４に示されるように、回路１１６は、二次電池１０１に対してスイッチ１０４よりも上流の電路でスイッチ１０４を含む回路と分岐している。換言すれば、回路１１６は、スイッチング素子としてのスイッチ１０４を含まない。これにより、回路１１６が作動すると、二次電池１０１の電圧が放電終止電圧より小さくても電力消費部１０５で二次電池１０１の残電力が消費される。
【０２３１】
［実施例１］
実施例１の蓄電池パック１００の動作について説明する。
【０２３２】
図５は、実施例１の蓄電池パックの動作フローを示す図である。
【０２３３】
図６は、実施例１の蓄電池パックの動作を示すフローチャートである。
【０２３４】
本実施例の蓄電池パック１００は、異常検知部１１２で蓄電池パック１００の異常が検知されると（Ｓ１０１）、異常表示部１０９ｃで異常が発生していることが外部に報知される（Ｓ１０２）。本例では、図５（ａ）に示すように異常表示部１０９ｃであるＬＥＤが点灯することで異常発生が報知される。
【０２３５】
ここで、操作者が受付部１１４であるスイッチに対してＯＮ操作すると（Ｓ１０３）、制御部１０７によりスイッチ１０３が閉成（ＯＮ）され、回路１１６が作動し、電力消費部１０５で二次電池１０１の残電力が消費される（Ｓ１０４）。また、二次電池１０１の残電力を消費中であることが外部に報知される（Ｓ１０５）。Ｓ１０４における二次電池１０１の残電力の消費は、具体的には、二次電池１０１の電圧が、放電終止電圧よりも小さくなるまで実行される。蓄電池パック１００の接続部に電気機器が接続されていても、異常発生に伴い、制御部１０７によりスイッチ１０４が開放（ＯＦＦ）されているため、Ｓ１０４において、二次電池１０１の残電力は、電気機器には供給されない。また、Ｓ１０５では、具体的には、図５（ｂ）に示すように、残量表示部１０９ｂである発光部が点滅することで、二次電池１０１の残電力を消費中であることが外部に報知される。なお、操作者としては、蓄電池パック１００のユーザ、蓄電池パック１００を回収する回収業者、回収された蓄電池パック１００を廃棄する廃棄業者等が例示される。
【０２３６】
制御部１０７によりスイッチ１０３が開放（ＯＦＦ）され、回路１１６の動作が停止すると、電力消費部１０５による二次電池１０１の残電力の消費が終了する（Ｓ１０６）。また、二次電池１０１の残電力の消費が終了したことを外部に報知する（Ｓ１０７）。本例では、図５（ｃ）に示すように、残量表示部１０９ｂである発光部の点滅が停止することで、二次電池１０１の残電力の消費が終了したことが外部に報知される。
【０２３７】
［実施例２］
実施例２の蓄電池パック１００について説明する。
【０２３８】
図７は、実施例２の蓄電池パックのシステム構成を示すブロック図である。
【０２３９】
図７に示すように、本実施例の蓄電池パック１００は、通信部１１１を備えている。通信部１１１は、情報端末、サーバ装置等の外部装置と無線通信する。本実施例では、通信部１１１は、Ｂｌｕｅｔｏｏｔｈ（登録商標）、Ｚｉｇｂｅｅ（登録商標）、ＮＦＣ、Ｗｉ−Ｆｉ等の近距離無線通信を行う通信部であり、情報端末と通信する。なお、通信部１１１は、近距離無線通信よりも通信距離が長いＬＴＥ等の無線通信を行う通信部であってもよい。これ以外の構成については、図４に示す、実施例１の蓄電池パック１００のシステム構成と同様である。
【０２４０】
次に、本実施例の蓄電池パック１００の動作について説明する。
【０２４１】
図８は、実施例２の蓄電池パックの動作フローを示す図である。
【０２４２】
図９は、実施例２の蓄電池パックの動作を示すフローチャートである。
【０２４３】
本実施例の蓄電池パック１００の動作は、蓄電池パック１００の異常が検知されると（Ｓ２０１）、異常表示部１０９ｃで異常が発生していることが外部に報知される（Ｓ２０２）。本実施例では、図８（ａ）に示すように異常表示部１０９ｃであるＬＥＤが点灯することで異常発生が報知される。
【０２４４】
ここで、操作者が受付部１１４であるスイッチに対してＯＮ操作すると（Ｓ２０３）、制御部１０７によりスイッチ１０３が閉成（ＯＮ）され、回路１１６が作動し、電力消費部１０５で二次電池１０１の残電力が消費される（Ｓ２０４）。また、二次電池１０１の残電力を消費中であることが外部に報知される（Ｓ２０５）。なお、Ｓ２０４における二次電池１０１の残電力の消費は、具体的には、実施例１と同様である。また、Ｓ２０５における報知は、実施例１と同様である。なお、操作者としては、蓄電池パック１００のユーザ、回収業者、廃棄業者等が例示される。
【０２４５】
制御部１０７によりスイッチ１０３が開放（ＯＦＦ）され、回路１１６の動作が停止すると、二次電池１０１の残電力の消費が終了する（Ｓ２０６）。二次電池１０１の残電力の消費が終了したことを外部に報知する（Ｓ２０７）。なお、Ｓ２０６では、その後に実行される蓄電池パック１００の動作（Ｓ２０９）が可能な容量を残した状態で、二次電池１０１の残電力の消費を終了する。Ｓ２０７における報知は、具体的には、実施例１と同様である。
【０２４６】
次に、操作者が、情報端末３００を操作して、蓄電池パック１００に対し蓄電池パック１００の残存容量を確認する指示をする（Ｓ２０８）。蓄電池パック１００は、通信部１１１を介してこの指示を受信し、制御部１０７は、記憶部１０６に保持された二次電池１０１の残存容量を示す情報を通信部１１１を介して情報端末３００に送信する（Ｓ２０９）。情報端末３００は受信した上記情報を画面に表示する（Ｓ２１０）。本実施例では、図８（ｃ）に示すように、蓄電池パック１００の残存容量に関する情報が、蓄電池パック１００の満充電時の容量に対する残存容量の比率（％）で表示されている。なお、この比率の算定においては、二次電池１０１の電圧が放電終止電圧（例えば、３．２Ｖ）であるときを０％とせず、０Ｖであるときを０％として算定している。
【０２４７】
［実施例３］
実施例３の蓄電池パック１００は、実施例１と異なり受付部１１４が、情報端末３００と無線通信する通信部である。本実施例では、受付部１１４は、Ｂｌｕｅｔｏｏｔｈ（登録商標）、Ｚｉｇｂｅｅ（登録商標）、ＮＦＣ、Ｗｉ−Ｆｉ等の近距離無線通信を行う通信部である。なお、受付部１１４は、近距離無線通信よりも通信距離が長いＬＴＥ等の無線通信を行う通信部であってもよい。これ以外の構成については、図４に示す、実施例１の蓄電池パック１００のシステム構成と同様である。
【０２４８】
次に、実施例３の蓄電池パック１００の動作について説明する。
【０２４９】
図１０は、実施例３の蓄電池パックの動作フローを示す図である。
【０２５０】
図１１は、実施例３の蓄電池パックの動作を示すフローチャートである。
【０２５１】
本実施例の蓄電池パック１００の動作は、蓄電池パック１００の異常が検知されると（Ｓ３０１）、蓄電池パック１００より異常が発生していることが外部に報知される（Ｓ３０２）。本実施例では、異常表示部１０９ｃによる報知が実行される。具体的には、図１０（ａ）に示すように異常表示部１０９ｃであるＬＥＤが点灯することで異常発生が表示される。また、異常報知されると操作者は情報端末３００を操作して、異常内容を確認する（Ｓ３０３）。具体的には、操作者の操作により情報端末３００から異常内容の確認要求が受付部１１４に送信される。受付部１１４が上記確認要求を受け付けると、制御部１０７により記憶部１０６に保持された異常内容を示す情報（例えば、衝撃異常）が情報端末３００に送信され、情報端末３００の画面にこの情報が表示される。
【０２５２】
ここで、操作者が情報端末３００を操作して、電力消費部１０５に二次電池１０１の残電力を消費させる指示をすると（Ｓ３０４）、制御部１０７によりスイッチ１０３が閉成（ＯＮ）され、回路１１６が作動し、電力消費部１０５で二次電池１０１の残電力が消費される（Ｓ３０５）。また、二次電池１０１の残電力を消費中であることが外部に報知される（Ｓ３０６）。Ｓ３０５における二次電池１０１の残電力の消費は、具体的には、実施例１と同様である。また、Ｓ３０６における報知は、実施例１と同様である。なお、操作者としては、蓄電池パック１００のユーザ、回収業者、廃棄業者等が例示される。また、操作者による上記指示の操作に伴い、回収業者３０２に蓄電池パック１００が廃棄予定であることが報知される（Ｓ３０７）。本実施例では、具体的には、情報端末３００よりサーバ装置３０１に蓄電池パック１００が廃棄予定であることを示す情報が送信され、この情報がサーバ装置３０１より回収業者３０２に報知される。
【０２５３】
制御部１０７によりスイッチ１０３が開放（ＯＦＦ）され、回路１１６の動作が停止すると、二次電池１０１の残電力の消費が終了する（Ｓ３０８）。また、二次電池１０１の残電力の消費が終了したことを外部に報知する（Ｓ３０９）。Ｓ３０９における報知は、具体的には、実施例１と同様である。
【０２５４】
次に、操作者が、情報端末３００を操作して、蓄電池パック１００に対し蓄電池パック１００の残存容量を確認する指示をすると、情報端末３００の画面には二次電池１０１の残存容量を示す情報が表示される（Ｓ３１０−Ｓ３１２）。具体的には、実施例２と同様である。
【０２５５】
［実施例４］
実施例４の蓄電池パック１００について説明する。本実施例の蓄電池パック１００のシステム構成は、実施例３と同様である。つまり、受付部１１４は、情報端末３００と無線通信する通信部である。
【０２５６】
次に、実施例４の蓄電池パック１００の動作について説明する。
【０２５７】
図１２は、実施例４の蓄電池パックの動作フローを示す図である。
【０２５８】
図１３は、実施例４の蓄電池パックの動作を示すフローチャートである。
【０２５９】
本実施例の蓄電池パック１００の動作は、蓄電池パック１００の異常が検知されると（Ｓ４０１）、蓄電池パック１００より異常が発生していることが外部に報知される（Ｓ４０２）。また、異常報知されると操作者は情報端末３００を操作して、異常内容を確認する（Ｓ４０３）。異常の報知と異常内容の確認については、具体的には、実施例３と同様である。
【０２６０】
ここで、操作者が情報端末で情報端末３００を操作して、電力消費部１０５に二次電池１０１の残電力を消費させる指示をすると（Ｓ４０４）、制御部１０７によりスイッチ１０３が閉成（ＯＮ）され、回路１１６が作動し、電力消費部１０５で二次電池１０１の残電力が消費される（Ｓ４０５）。また、二次電池１０１の残電力を消費中であることが外部に報知される（Ｓ４０６）。Ｓ４０５における二次電池１０１の残電力の消費は、具体的には、実施例１と同様である。また、Ｓ４０６における報知は、残量表示部１０９ｂによる報知と受付部１１４を介した情報端末への報知が実行される。具体的には、図１２（ｂ）に示すように、残量表示部１０９ｂである発光部が点滅することで、二次電池１０１の残電力を消費中であることが外部に報知される。また、制御部１０７により受付部１１４を介して二次電池の残電力を消費中であることを示す情報が情報端末３００に送信され、情報端末３００にこの情報が表示される。なお、操作者としては、蓄電池パック１００のユーザ、回収業者、廃棄業者等が例示される。
【０２６１】
制御部１０７によりスイッチ１０３が開放（ＯＦＦ）され、回路１１６の動作が停止すると、二次電池１０１の残電力の消費が終了する（Ｓ４０７）。また、二次電池１０１の残電力の消費が終了したことを外部に報知する（Ｓ４０８）。本実施例では、残量表示部１０９ｂによる報知と受付部１１４を介して情報端末３００への報知が実行される。具体的には、図１０（ｃ）に示すように、残量表示部１０９ｂである発光部の点滅が停止することで、二次電池１０１の残電力の消費が終了したことが外部に報知される。また、制御部１０７により受付部１１４を介して二次電池の残電力の消費が終了したことを示す情報が情報端末３００に送信され、情報端末３００にこの情報が表示される。
【０２６２】
また、二次電池１０１の残電力の消費が終了すると、回収業者への連絡を促す情報が情報端末３００に報知される（Ｓ４０９）。具体的には、図１２（ｃ）に示すように、二次電池１０１の残電力の消費が完了するとき、制御部１０７より受付部１１４を介して情報端末３００に回収業者への連絡を促す情報が報知される。この情報には、例えば、回収業者への連絡を促すメッセージを含まれ、更に、回収業者名と回収業者の連絡先を含んでもよい。回収業者名と回収業者の連絡先は複数であり、これらが情報端末３００の画面に一覧表示されてもよい。
【０２６３】
［実施例５］
実施例５の蓄電池パック１００について説明する。本実施例の蓄電池パック１００のシステム構成は、実施例１と同様である。つまり、受付部１１４は、操作者の操作を受けるスイッチである。
【０２６４】
次に、実施例５の蓄電池パック１００の動作について説明する。
【０２６５】
図１４は、実施例５の蓄電池パックの動作フローを示す図である。
【０２６６】
図１５は、実施例５の蓄電池パックの動作を示すフローチャートである。
【０２６７】
本実施例の蓄電池パック１００は、サーバ装置３０１より情報端末３００に蓄電池パック１００が寿命に到達したことを示す情報が送信され（Ｓ５０１）、情報端末３００の画面にこの情報が表示される（Ｓ５０２）。なお、図１４、図１５には示してないが、蓄電池パック１００に設けられた報知部により電池寿命であることを外部に報知してもよい。この報知部は、例えば、異常表示部１０９ｃまたは残量表示部１０９ｂを用いてもよいし、これらと異なる報知部を別途設けてもよい。
【０２６８】
情報端末３００の画面で、電池寿命であることを確認した操作者が受付部１１４であるスイッチに対してＯＮ操作すると（Ｓ５０３）、電力消費部１０５で二次電池１０１の残電力が消費され（Ｓ５０４）、二次電池１０１の残電力を消費中であることが外部に報知される（Ｓ５０５）。Ｓ５０４における二次電池１０１の残電力の消費は、具体的には、実施例１と同様である。Ｓ５０５における報知は、具体的には、図１４（ｂ）に示すように実施例１と同様である。なお、操作者としては、蓄電池パック１００のユーザ、回収業者、廃棄業者等が例示される。
【０２６９】
制御部１０７によりスイッチ１０３が開放（ＯＦＦ）され、回路１１６の動作が停止すると、二次電池１０１の残電力の消費が終了する（Ｓ５０６）。また、二次電池１０１の残電力の消費が終了したことを外部に報知する（Ｓ５０７）。Ｓ５０７における報知は、具体的には、図１４（ｃ）に示すように、実施例１と同様である。
【０２７０】
なお、上記では示されていないが、蓄電池パック１００が実施例２と同様に通信部１１１を更に備え、二次電池１０１の残電力の消費が終了した後に、蓄電池パック１００の残存容量を情報端末３００で確認してもよい。
【０２７１】
［実施例６］
実施例６の蓄電池パック１００について説明する。本実施例の蓄電池パック１００のシステム構成は、実施例３と同様である。つまり、受付部１１４は、情報端末３００と無線通信する通信部である。
【０２７２】
次に、実施例６の蓄電池パック１００の動作について説明する。
【０２７３】
図１６は、実施例６の蓄電池パックの動作フローを示す図である。
【０２７４】
図１７は、実施例６の蓄電池パックの動作を示すフローチャートである。
【０２７５】
本実施例の蓄電池パック１００の動作は、サーバ装置３０１より情報端末３００に蓄電池パック１００が寿命に到達したことを示す情報が送信され（Ｓ６０１）、情報端末３００の画面にこの情報が表示される（Ｓ６０２）。なお、図１６、図１７には示してないが、蓄電池パック１００に設けられた報知部により電池寿命であることを外部に報知してもよい。具体的には、実施例５と同様である。
【０２７６】
情報端末３００の画面で、電池寿命であることを確認した操作者が、情報端末３００を操作して、電力消費部１０５に二次電池１０１の残電力を消費させる指示をする（Ｓ６０３）。すると、制御部１０７によりスイッチ１０３が閉成（ＯＮ）され、回路１１６が作動し、電力消費部１０５で二次電池１０１の残電力が消費される（Ｓ６０４）。また、二次電池１０１の残電力を消費中であることが外部に報知される（Ｓ６０５）。Ｓ６０４における二次電池１０１の残電力の消費は、具体的には、実施例１と同様である。また、Ｓ６０５における報知は、具体的には、実施例１と同様である。なお、操作者としては、蓄電池パック１００のユーザ、回収業者、廃棄業者等が例示される。また、操作者による上記指示の操作に伴い、回収業者３０２に蓄電池パック１００が廃棄予定であることが報知される（Ｓ６０６）。Ｓ６０６における報知は、具体的には、実施例３と同様である。
【０２７７】
制御部１０７によりスイッチ１０３が開放（ＯＦＦ）され、回路１１６の動作が停止すると、二次電池１０１の残電力の消費が終了する（Ｓ６０７）。また、二次電池１０１の残電力の消費が終了したことを外部に報知する（Ｓ６０８）。具体的には、図１６（ｃ）に示すように、実施例１と同様である。
【０２７８】
次に、操作者が、情報端末３００を操作して、蓄電池パック１００に対し蓄電池パック１００の残存容量を確認する指示をすると、情報端末３００の画面には二次電池１０１の残存容量を示す情報が表示される（Ｓ６０９−Ｓ６１１）。具体的には、実施例２と同様である。
【０２７９】
［実施例７］
実施例７の蓄電池パック１００について説明する。本実施例の蓄電池パック１００は、実施例１−４と異なり、異常検知部１１２で異常が検知されると、受付部１１４を介して蓄電池パック１００に指示がなくても、制御部１０７が制御して、電力消費部１０５に二次電池１０１の残電力を消費させる。その他の動作フローについては、実施例１−４と同様である。
【０２８０】
［実施例８］
実施例８の蓄電池パック１００について説明する。本実施例の蓄電池パック１００は、実施例２−６のいずれかにおいて、制御部１０７が、電力消費部１０５による二次電池１０１の残電力の消費を終了する際に、二次電池１０１の残存容量を示す情報を、通信部１１１（もしくは受付部１１４としての通信部）を介して外部装置に送信する。二次電池１０１の残存容量を示す情報は、記憶部１０６に保持されている。外部装置としては、情報端末３００、サーバ装置３０１等が例示されるが、これらに限定されるものではなく、いずれの形態であってもよい。
【０２８１】
また、制御部１０７が、二次電池１０１の残電力の消費が終了した後、二次電池１０１の残存容量を示す情報を外部装置に送信してもよい。このとき、二次電池１０１の残電力の消費は、外部装置に二次電池１０１の残存容量を示す情報を送信可能な容量を残して終了される。
【０２８２】
［実施例９］
実施例９の蓄電池パック１００について説明する。本実施例の蓄電池パック１００は、実施例１−８のいずれかにおいて、二次電池１０１が、複数のセルを備え、制御部１０７は、全てのセルの電圧が０Ｖになる前に、電力消費部１０５による二次電池１０１の残電力の消費を停止させる。
【０２８３】
二次電池が複数のセルを備えるとき、各セルの劣化度（ＳＯＨ）が均一であればよいが、蓄電池パックの使用に伴い各セルの劣化度が異なってくる。従って、二次電池の残電力の消費を行うと、各セルの電圧も異なり、相対的に早く電圧が０Ｖになるセルが生じる。０Ｖになったセルについて更に放電させると転極が生じ、安全性上問題がある。
【０２８４】
そこで、本実施例のように全ての前記セルの電圧が０Ｖになる前に、前記電力消費部による前記二次電池の電力の消費を終了させることで、全てのセルの電圧が０Ｖになるまで放電する場合に比べ、転極が生じるセル数が減少し、安全性が向上する。
【０２８５】
本実施例の蓄電池パック１００は、制御部１０７は、少なくとも１つのセルの電圧が０Ｖであり、かつ全てのセルの電圧が０Ｖになる前に電力消費部１０５による二次電池１０１の残電力の消費を停止させてもよい。
【０２８６】
［実施例１０］
実施例１０の蓄電池パック１００について説明する。本実施例の蓄電池パック１００は、実施例１−９のいずれかにおいて、蓄電池パック１００が接続部を介して電気機器と接続され、電力消費部１０５が二次電池１０１の残電力を消費しているときに、二次電池１０１の電圧が放電終止電圧になるまでは、電気機器も二次電池１０１の残電力を消費する。これにより、二次電池１０１の残電力の消費終了を早めることができる。
【０２８７】
上記電気機器は、電動移動体、エアコン、照明装置等の二次電池１０１の電力を用いて動作する電気機器であってもよい。また、上記電気機器は、内部に放電用の負荷を備えていれば、二次電池１０１の電力を用いて動作する電気機器でなくてもよい。例えば、充電装置２００が内部に放電用の負荷を備えていれば、上記電機機器が、充電装置２００であってもよい。
【０２８８】
（実施の形態２）
蓄電池パック１００は、制御部１０７の制御により、二次電池が充電開始される際に、二次電池の継続使用可否を判定するための放電（学習放電）を実行してもよい。以下、実施の形態２に係る、蓄電池パック１００について説明する。なお、以下の実施の形態２では、実施の形態１と異なる点を中心に説明し、実施の形態１において既に説明した構成要素の説明等は省略される。
【０２８９】
まず、実施の形態２に係る蓄電池パックについて説明する。図１８は、実施の形態２に係る蓄電池パックの外観斜視図である。
【０２９０】
蓄電池パック１００は、放電表示部１０９ｄを備える。放電表示部１０９ｄは、蓄電池パック１００の制御部１０７が学習放電中であることを示す情報、及び、二次電池１０１の継続使用可否を示す情報の少なくとも一方を表示する。放電表示部１０９ｄは、具体的には、ＬＥＤを備え、学習放電中には、ＬＥＤを点滅させ、二次電池の継続使用が不可能と判定されるとＬＥＤを点灯させる。なお、学習放電、及び、二次電池の継続使用可否の判定の詳細については後述する。
【０２９１】
図１９は、実施の形態２に係る蓄電池パック１００のシステム構成を示すブロック図である。
【０２９２】
図１９に示すように、蓄電池パック１００は、電流測定部１１０を備える。
【０２９３】
電流測定部１１０は、二次電池１０１から接続部１０２に接続された電気機器に流れる電流と、二次電池１０１から電力消費部１０５に流れる電流との両方を測定することができる位置に配置された電流センサである。電流測定部１１０は、具体的には、回路上において、二次電池１０１と、電力消費部１０５との間に設けられる。電流測定部１１０によって測定された電流値の測定データは、制御部１０７に送信される。例えば、二次電池１０１を完全に放電するときには、制御部１０７は、電流測定部１１０が測定する電流値を観測し、電流値が十分小さくなるまで二次電池１０１の放電を行う。
【０２９４】
本実施の形態の蓄電池パック１００において、制御部１０７は、二次電池１０１の残存容量を示す値が満充電を示す値から第１の閾値以下になるまでの二次電池１０１の放電量に基づいて、二次電池１０１の継続使用可否を判定する。
【０２９５】
また、制御部１０７は、接続部１０２が充電装置２００に接続されている状態で二次電池１０１の充電開始（例えば、充電の開始を示す信号）を検知すると、学習放電を行う。学習放電とは、二次電池１０１の残存容量を示す値が二次電池１０１の継続使用可否を判定するための第１の閾値以下になるまで電力消費部１０５を用いて二次電池１０１を放電させる放電である（第１の放電）。
【０２９６】
さらに、制御部１０７は、二次電池１０１が継続使用不可であると判定されると、電力消費部１０５により二次電池１０１の残電力を、更に消費させる。二次電池１０１の残電力消費は、受付部１１４で二次電池１０１の残電力消費の指示を受け付けて実行してもよいし、受付部１１４で上記指示の受付がなくても制御部１０７の制御により実行してもよい。なお、本実施の形態では、電力消費部１０５を用いて二次電池１０１の残存容量を示す値が上記第１の閾値よりも小さい第３の閾値以下になるまで放電させる（第２の放電）。第３の閾値は、放電終止電圧よりも小さい値であってもよい。また、第３の閾値は、二次電池１０１が使用不可能な状態になる値であってもよい。ここで、二次電池１０１が使用不可能な状態とは、電力消費部１０５による二次電池１０１の残電力の消費終了後、蓄電池パック１００の充電をしても電池として使用できない状態を意味する。
【０２９７】
上記の継続使用可否の判定、第１の放電、及び第２の放電の詳細については後述する。
【０２９８】
［基本動作］
次に、蓄電池パック１００の基本動作について説明する。図２０、図２１、及び、図２２は、蓄電池パック１００の基本動作を説明するための図である。
【０２９９】
制御部１０７は、接続部１０２に接続された電気機器に電力供給を行うときには、図２０に示されるように、スイッチ１０３をオフし、かつ、スイッチ１０４をオンする。このときの電流値は、電流測定部１１０によって測定可能である。
【０３００】
制御部１０７は、二次電池１０１を充電するときもスイッチ１０３をオフし、かつ、スイッチ１０４をオンする。制御部１０７は、二次電池１０１を満充電状態にするときには、二次電池１０１の電圧値が満充電を示す上限値（例えば、４．１Ｖ）になるまで充電を行う。ここでの上限値は、二次電池１０１の充電における規格値（充電終止電圧）であってもよい。
【０３０１】
制御部１０７は、電力消費部１０５を用いて二次電池１０１を放電させるときには、つまり、上述の第１の放電及び第２の放電を行うときには、図２１に示されるように、スイッチ１０３をオンし、かつ、スイッチ１０４をオフする。このときの電流値は、電流測定部１１０によって測定可能である。
【０３０２】
ここで、制御部１０７は、第１の放電においては、二次電池１０１の電圧値が第１の閾値（例えば、３．３Ｖ）以下になるまで二次電池１０１を放電させる。なお、第１の閾値は、二次電池１０１の放電を行える規格値である放電終止電圧（例えば、３．２Ｖ）よりも大きい値である。また、第１の放電において、二次電池１０１の電圧が放電終止電圧になるまで二次電池１０１を放電させてもよい。
【０３０３】
制御部１０７は、第２の放電においては、二次電池１０１の電圧値が第１の閾値よりも低い第３の閾値以下になるまで二次電池１０１を放電させる。また、第２の放電においては、二次電池１０１を放電終止電圧よりも低い電圧になるまで放電させ、二次電池１０１を再び使用できない状態にしてもよい。第３の閾値は、例えば、０Ｖであるが、放電終止電圧よりも低い電圧（例えば、１．５Ｖ程度）であれば、二次電池１０１を使用できない状態にすることが可能である。
【０３０４】
なお、制御部１０７は、二次電池１０１の放電を早めたいときには、図２２に示されるようにスイッチ１０３をオンし、かつ、スイッチ１０４をオンしてもよい。つまり、接続部１０２に電気機器が接続されているときに、電力消費部１０５と、接続部１０２に接続された電気機器との両方を用いて二次電池１０１を放電させてもよい。これにより、二次電池１０１の放電を早めることができる。なお、接続部１０２に接続された電気機器は、例えば、二次電池１０１の電力を用いて動作する電気機器である。充電装置２００は、二次電池１０１の電力を用いて動作する電気機器ではないが、充電装置２００内に二次電池１０１の放電用の負荷が設けられているときには、このような負荷が二次電池１０１の放電に用いられてもよい。従って、上記電気機器は、内部に放電用の負荷を備える場合、充電装置２００を含んでもよい。また、電力消費部１０５と電気機器とを用いた放電は、第１の放電、第２の放電のいずれで実行されてもよい。また、上記例では、二次電池１０１の残存容量を示す値として、電圧値を使用しているが、これに限定されるものではない。残存容量自体の値であってもよい。残存容量自体の算定には、電流測定部１１０で測定された電流値を時間積分した値が用いられる。
【０３０５】
［第１の放電及び第２の放電］
次に、蓄電池パック１００の特徴構成である、第１の放電及び第２の放電について詳細に説明する。
【０３０６】
第１の放電は、二次電池１０１の継続使用可否の判定を行うために、二次電池１０１を所定容量（所定の電圧値）まで放電させる放電を意味する。蓄電池パック１００では、このような学習放電を二次電池１０１の充電時に、蓄電池パック１００の内部に設けられた電力消費部１０５を用いて行う点が特徴である。図２３は、二次電池１０１の第１の放電及び第２の放電を説明するための図である。なお、図２３は、二次電池１０１の容量（残存容量）の時間変化を模式的に表した図である。
【０３０７】
実施の形態２では、継続使用可否の判定は、二次電池１０１の最大容量が所定容量Ｄ未満であるか否かに基づいて行われる。ここで、二次電池１０１の最大容量は、満充電時の容量（電圧が所定の上限値になるまで充電されたときの容量）と、所定容量Ｃ（電圧が第１の閾値になったときの容量）との差分である。
【０３０８】
二次電池１０１の最大容量は、満充電時の容量から、所定容量Ｃに減少するまでの放電量に基づいて算出される。具体的には、制御部１０７は、満充電時の容量から所定容量Ｃに減少するまでの放電量を記憶部１０６に記憶しておき、記憶された放電量の積算が二次電池１０１の最大容量として算出される。
【０３０９】
ここで、図２３に示されるように、満充電時の容量は、二次電池１０１の使用開始時は所定容量Ａであるが、充電及び放電が繰り返されることにより徐々に低下していくため、二次電池１０１の最大容量も低下していく。そして、二次電池１０１の最大容量が所定容量Ｄ未満となると、二次電池１０１は、継続使用不可と判定される。
【０３１０】
以上説明したように、二次電池１０１の最大容量を算出するためには、二次電池１０１を所定容量Ｃまで放電させる必要がある。
【０３１１】
そこで、蓄電池パック１００においては、制御部１０７は、充電の開始を示す信号を検知すると二次電池１０１の残存容量が所定容量Ｃよりも大きく所定容量Ｂ以下であれば、第１の放電を行い、二次電池１０１の容量を所定容量Ｃまで放電する。言い換えれば、充電の開始を示す信号を検知すると二次電池１０１の電圧が第１の閾値よりも大きく、かつ、第２の閾値（例えば、３．５Ｖ）以下であれば、学習放電を行う。第２の閾値は、満充電を示す所定の上限値よりも小さい値である。
【０３１２】
これにより、二次電池１０１の残存容量が少ないときに第１の放電が行われるため、制御部１０７は、短時間で二次電池１０１を放電させることができる。
【０３１３】
また、二次電池１０１の容量は、短期間に大幅に減少する可能性が低いため、継続使用可否の判定は、頻繁に行われる必要はない。学習放電が頻繁に行われると、二次電池１０１の劣化を促進してしまうというデメリットも考えられる。
【０３１４】
そこで、実施の形態１では、記憶部１０６に学習放電の履歴が記憶され、制御部１０７は、学習放電が行われてから所定期間Ｔが経過すると、次の学習放電を行う。
【０３１５】
例えば、図２３においては、タイミングｔ１、ｔ２、ｔ３、及びｔ４のそれぞれにおいて充電の開始を示す信号が検知され、いずれのタイミングにおいても二次電池１０１の残存容量は所定容量Ｃよりも大きく所定容量Ｂ以下である。
【０３１６】
ここで、タイミングｔ１及びｔ３では、学習放電が開始されるが、タイミングｔ２では、タイミングｔ１において学習放電が開始されてから所定期間Ｔを経過していないため、学習放電は行われず、充電のみが行われる。同様に、タイミングｔ４では、タイミングｔ３において学習放電が開始されてから所定期間Ｔを経過していないため、学習放電は行われない。
【０３１７】
このように、実施の形態１では、二次電池１０１の学習放電は、二次電池１０１の充電ごとではなく、所定期間の経過を要件として行われる。したがって、充電の間隔が短く、寿命の変化が小さいと考えられるようなときの不必要な放電を減らすことができる。さらに、放電回数を減らすことで、二次電池１０１の劣化（寿命の短縮）を抑制することができる。
【０３１８】
次に、図２３を用いて第２の放電について説明する。
【０３１９】
二次電池１０１の最大容量が所定容量Ｄよりも低下し、二次電池１０１が継続使用不可であると判定されると、制御部１０７は、第２の放電を行う。具体的には、制御部１０７は、二次電池１０１の残存容量が所定容量Ｅになるまで電力消費部１０５を用いて二次電池１０１を放電させる。言い換えれば、制御部１０７は、二次電池１０１の残存容量を示す値が第１の閾値よりも小さい第３の閾値以下になるまで電力消費部１０５を用いて二次電池１０１を放電させる。
【０３２０】
例えば、図２３においては、学習放電が行われた結果、タイミングｔ６において二次電池１０１は継続使用不可であると判定される。したがって、制御部１０７は、第２の放電を行う。
【０３２１】
以上説明したような、第１の放電及び第２の放電についてフローチャートを用いて説明する。図２４は、第１の放電及び第２の放電のフローチャートである。
【０３２２】
まず、制御部１０７は、二次電池１０１の充電の開始を示す信号を検知する（Ｓ１１）。制御部１０７は、例えば、充電の開始を示す信号として、蓄電池パック１００が充電装置２００に接続されたことを検知する。また、充電の開始を示す信号は、蓄電池パック１００が充電装置２００に接続された後、蓄電池パック１００または充電装置２００に対して行われる操作（例えば、充電開始ボタンの押下）を契機として制御部１０７に送信されてもよい。
【０３２３】
二次電池１０１の充電の開始を示す信号を検知すると（Ｓ１１でＹｅｓ）、制御部１０７は、記憶部１０６内の学習放電の履歴を参照して、前回の学習放電から所定期間が経過しているかどうかを確認する（Ｓ１２）。
【０３２４】
前回の学習放電から所定期間が経過していると（Ｓ１２でＹｅｓ）、制御部１０７は、二次電池１０１の残存容量を確認する（Ｓ１３）。二次電池１０１の残存容量が所定容量Ｂ以下であれば（Ｓ１３でＹｅｓ）、制御部１０７は、学習放電を行う（Ｓ１４）。
【０３２５】
学習放電は、残存容量が所定容量Ｃになるまで行われる（Ｓ１５でＮｏ）。残存容量が所定容量Ｃとなると（Ｓ１５でＹｅｓ）、制御部１０７は、学習放電を停止し（Ｓ１６）、二次電池１０１が継続使用不可であるか否かの判定を行う（Ｓ１７）。
【０３２６】
二次電池１０１の継続使用が可能であると判定されると（Ｓ１７でＮｏ）、二次電池１０１の充電が行われる（Ｓ１８）。前回の学習放電から所定期間が経過していないとき（Ｓ１２でＮｏ）、及び、二次電池１０１の残存容量が所定容量Ｂよりも大きいとき（Ｓ１３でＮｏ）も二次電池１０１の充電が行われる。
【０３２７】
二次電池１０１の継続使用が不可能であると判定されると（Ｓ１７でＹｅｓ）、制御部１０７は、第２の放電を行う（Ｓ１９）。
【０３２８】
［効果］
以上説明したように、実施の形態１に係る蓄電池パック１００においては、接続部１０２が充電装置２００に接続されている状態で二次電池１０１の充電の開始を示す信号を検知すると、第１の放電を行う。
【０３２９】
これにより、第１の放電が充電時に行われるため、ユーザは、継続使用可否の判定のために、別途、二次電池１０１を学習放電させる必要がない。また、蓄電容量が少なくなっていると推定される充電時に二次電池１０１の学習放電が行われるため、学習放電に要する時間を短縮できる。
【０３３０】
以上のような適切なタイミングで放電が行われるため、ユーザが蓄電池パック１００を機器への電力供給に使用可能な時間が確保され、蓄電池パック１００の利便性を向上させることができる。
【０３３１】
また、蓄電池パック１００においては、二次電池１０１が継続使用不可であると判定されると、第２の放電を行う。
【０３３２】
二次電池１０１を放電終止電圧まで放電した後、廃棄しても、二次電池１０１には残存容量があり、廃棄処理等において、二次電池１０１の取扱者が感電、二次電池１０１の発熱に伴う火傷等が生じる危険がある。特に、二次電池１０１がリチウムイオンバッテリーであるときには、このような危険性が高く、安全な廃棄方法が求められている。
【０３３３】
上記第２の放電では、継続使用不可と判定された二次電池１０１を放電終止電圧よりも小さい電圧になるまで放電させることにより、蓄電池パック１００を使用不可能な状態（再度充電しても電池として使用できない状態）にすることができる。このような状態では、火傷、感電の危険性は低減され、蓄電池パック１００を廃棄時の安全性を向上することができる。
【０３３４】
［変形例］
上記実施の形態２では、学習放電が開始されるためには、前回の学習放電から第１の所定期間Ｔが経過し、かつ、二次電池１０１の電圧が第２の閾値以下であることが要件とされた。このようなときには、例えば、学習放電が所定期間Ｔよりも長い第２の所定期間（例えば、２Ｔ）以上行われていないときには、第２の閾値を引き上げてもよい。第２の閾値は、例えば、３．５Ｖから３．７Ｖに引き上げられる。
【０３３５】
これにより、長期間学習放電が行われていないと、学習放電が行われやすくなり、継続使用可否の判定をより確実に行うことができる。
【０３３６】
（実施の形態３）
実施の形態３に係る蓄電池パック１００について説明する。なお、以下の実施の形態３では、実施の形態２と異なる点を中心に説明し、実施の形態２において既に説明した構成要素の説明等は省略される。
【０３３７】
実施の形態３に係る蓄電池パック１００は、外部装置と通信する通信部を備える。蓄電池パック１００のシステム構成は、図７で説明した蓄電池パックと同様である。
【０３３８】
本実施の形態の蓄電池パック１００において、通信部１１１は、二次電池１０１の状態を示す状態量のデータを外部装置に送信する。そして、通信部１１１が外部装置から上記データに基づき外部装置に判定された二次電池１０１の状態を示す情報を受信することにより、制御部１０７は、二次電池１０１の状態を確認することができる。ここで、外部装置は、サーバ装置、情報端末、充電装置等が例示される。
【０３３９】
通信部１１１は、例えば、二次電池１０１の残存容量を示す値が満充電を示す値から第１の閾値以下になるまでの二次電池１０１の放電量を外部装置に送信し、外部装置から二次電池１０１の継続使用可否を示す情報を受信してもよい。つまり、二次電池１０１の継続使用可否の判定を外部装置によって行われてもよい。
【０３４０】
また、通信部１１１は、例えば、制御部１０７が学習放電中であることを示す情報、及び、二次電池１０１の継続使用可否を示す情報の少なくとも一方を外部装置に送信してもよい。これにより、外部装置によって二次電池１０１の状態を示す情報を保持することができる。
【０３４１】
また、通信部１１１が外部装置からスイッチ１０３及びスイッチ１０４を制御する信号を受信することによって、二次電池１０１の充電及び放電を切り替えること（遠隔操作）も可能である。
【０３４２】
（実施の形態４）
上記実施の形態４において、電力消費部１０５は、典型的には、セルバランス用抵抗を含んでもよい。以下、実施の形態４に係る蓄電池パック１００について説明する。なお、以下の実施の形態４では、実施の形態１及び実施の形態２と異なる点を中心に説明し、その他の構成については、実施の形態１及び実施の形態２のいずれかと同様であるので、具体的な説明等は省略される。
【０３４３】
図２５は、セルバランス用抵抗を説明するための図である。なお、図２５は、模式図であり、セルの数等は説明のために簡略化されている。
【０３４４】
図２５に示されるように、二次電池１０１は、例えば、セル１０１ａ、セル１０１ｂ、及びセル１０１ｃの直列接続により構成される。
【０３４５】
本実施の形態の蓄電池パック１００は、これら各セルの間の電圧を調整するために、１つのセルに対して、１つのセルバランス用抵抗と、１つのスイッチとを備える。そして、制御部１０７は、各セルに対応して設けられた複数のスイッチのオンまたはオフを制御する。
【０３４６】
例えば、制御部１０７によりスイッチ１２８ａがオンまたはオフされることにより、セルバランス用抵抗１１８ａとセル１０１ａとの電気的接続がオンまたはオフされる。同様に、スイッチ１２８ｂがオンまたはオフされることにより、セルバランス用抵抗１１８ｂとセル１０１ｂとの電気的接続がオンまたはオフされる。スイッチ１２８ｃがオンまたはオフされることにより、セルバランス用抵抗１１８ｃとセル１０１ｃとの電気的接続がオンまたはオフされる。
【０３４７】
上記のような構成により、制御部１０７は、各セルを個別に放電させることができ、複数のセル間の電圧を調整することができる。このようなセルバランス用抵抗が電力消費部１０５として用いられてもよい。
【０３４８】
（実施の形態５）
蓄電池パック１００は、電力消費部１０５としてヒーター（発熱体）を備えてもよい。以下、実施の形態５に係る、ヒーターを備える蓄電池パックについて説明する。なお、以下の実施の形態５では、実施の形態１と異なる点を中心に説明し、実施の形態１において既に説明した構成要素の説明等は省略する。
【０３４９】
図２６は、実施の形態５に係る蓄電池パックの内部構成を示す斜視図である。図２７は、実施の形態５に係るヒーターの構成を示す図である。なお、図２６では、接続部１０２の図示は省略されている。
【０３５０】
図２６に示すように、実施の形態５に係る蓄電池パック１００は、電力消費部１０５が、二次電池１０１が放電した電力を消費することによって発熱する発熱体である点において、蓄電池パック１００と異なる。また、発熱体の一例であるヒーター１４０は、二次電池１０１の周囲を囲っている。
【０３５１】
図２７に示すように、ヒーター１４０は、具体的には、発熱部１４１と、発熱部１４１を覆う絶縁体１４２を備える。発熱部１４１には、リード線１４３の一端が接続されており、リード線１４３の他端は二次電池１０１に接続されている。リード線１４３は、切り替えスイッチ１０３に接続され、切り替えスイッチ１０３は、制御部１０７の制御に基づいて二次電池１０１とヒーター１４０の電気的接続のオン及びオフを切り替える。
【０３５２】
このような構成によれば、制御部１０７が二次電池１０１を放電させる制御を行うと、ヒーター１４０の発熱によって二次電池１０１が加熱される。これにより、二次電池１０１の温度低下に起因する性能低下を防ぐことができる。
【０３５３】
また、蓄電池パック１００は、蓄電池パック１００の内部の温度を検知する、図示しない温度検知部を備えていてもよい。このとき、制御部１０７は、蓄電池パック１００の内部の温度が低下すると、二次電池１０１の放電を行う。
【０３５４】
具体的には、温度検知部によって蓄電池パック１００の内部の温度が閾値温度以下であると検知されると、制御部１０７は、二次電池１０１を放電し、ヒーター１４０は、電力を消費して発熱する。ヒーター１４０は二次電池１０１の周囲を囲っているので、ヒーター１４０の発熱によって二次電池１０１が加熱される。すなわち、低温時に二次電池１０１の温度低下を防止することができる。このような制御部１０７の制御について、図２８を用いて説明する。図２８は、実施の形態５に係る蓄電池パックの動作例を説明するための図である。
【０３５５】
図２８に示すように、蓄電池パック１００の内部の温度が閾値温度Ｔ０以下であると検知されると、制御部１０７は、二次電池１０１を放電させ、ヒーター１４０は、電力を消費して発熱する。このとき、閾値温度Ｔ０は、二次電池１０１の使用が不能になる境界温度Ｔｔｈよりも高い温度に設定される。
【０３５６】
次に、蓄電池パック１００内部の温度が、閾値温度Ｔ０よりも高い閾値温度Ｔ０´以上であると検知されると、制御部１０７は、二次電池１０１の放電を止める。つまり、制御部１０７は、ヒーター１４０の発熱を止める。
【０３５７】
二次電池１０１がリチウムイオン電池のとき、二次電池１０１の使用が不能になる境界温度Ｔｔｈは約０℃である。したがって、閾値温度Ｔ０は、約１０℃、閾値温度Ｔ０´は、約１５℃に設定されるとよい。なお、上記温度Ｔｔｈ、Ｔ０及びＴ０´の具体的な温度は、例示であって、このような例に限定されない。
【０３５８】
以上のような構成により、低温環境において二次電池１０１が使用不能になる温度まで降温することを防止し、かつ、二次電池１０１を加熱しすぎないように、ヒーター１４０の発熱を制御することができる。すなわち、二次電池１０１の無駄な放電を抑制しつつ、低温時における二次電池１０１の性能低下を防ぐことができる。
【０３５９】
なお、ヒーター１４０は、二次電池１０１の側面に接して周囲を囲う必要はない。二次電池１０１を加熱することができるものであれば、ヒーター１４０は、二次電池１０１の一部分に取り付けられてもよい。
【０３６０】
（その他の実施の形態）
以上、実施の形態１−５について説明したが、本開示は、上記実施の形態１−５に限定されるものではない。
【０３６１】
例えば、蓄電池パックは、表示画面を備える画像表示部を備え、当該画像表示部によって上記実施の形態で説明した表示部１０９の機能が実現されてもよい。図２９は、画像表示部を備える蓄電池パックの外観斜視図である。
【０３６２】
図２９に示される蓄電池パック１００は、画像表示部１１５を備える。画像表示部１１５は、例えば、有機ＥＬパネルや、ＬＣＤパネルなどの表示パネルを備える。
【０３６３】
画像表示部１１５は、二次電池１０１の残存容量、学習放電中であることを示す情報、二次電池１０１の継続使用可否を示す情報、蓄電池パック１００の異常を示す情報などの表示することができる。また、画像表示部１１５は、タッチパネルを備え、ユーザインターフェースとして機能する。つまり、画像表示部１１５は、残量表示ボタン１０９ａや、受付部１１４としても機能する。
【０３６４】
また、上記の実施形態では、蓄電池パック１００に異常が発生したときに、受付部１１４で指示を受けて、二次電池１０１の残電力消費を実行していたが、これに限定されるものではない。任意のタイミングで受付部１１４へ指示がなされ、二次電池１０１の残電力の消費が実行されてよい。
【０３６５】
また、上記実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【０３６６】
また、上記実施の形態において、各構成要素は、回路でもよい。これらの回路は、全体として１つの回路を構成してもよいし、それぞれ別々の回路でもよい。また、これらの回路は、それぞれ、汎用的な回路でもよいし、専用の回路でもよい。
【０３６７】
また、上記実施の形態において、特定の処理部が実行する処理を別の処理部が実行してもよい。例えば、電圧検知部１０８は、制御部１０７の一機能として実現されてもよい。また、複数の処理の順序が変更されてもよいし、複数の処理が並行して実行されてもよい。
【０３６８】
なお、本開示の包括的または具体的な態様は、システム、方法、集積回路、コンピュータプログラムまたはコンピュータ読み取り可能なＣＤ−ＲＯＭなどの記録媒体で実現されてもよい。また、本開示の包括的または具体的な態様は、システム、方法、集積回路、コンピュータプログラムまたは記録媒体の任意な組み合わせで実現されてもよい。例えば、本開示は、蓄電池パックの充放電方法として実現されてもよい。
【０３６９】
なお、本開示は、これらの実施の形態またはその変形例に限定されるものではない。本開示の趣旨を逸脱しない限り、当業者が思いつく各種変形を本実施の形態またはその変形例に施したもの、あるいは異なる実施の形態またはその変形例における構成要素を組み合わせて構築される形態も、本開示の範囲内に含まれる。
【産業上の利用可能性】
【０３７０】
本開示は、適切なタイミングで放電を行うことができる蓄電池パックとして有用である。
【符号の説明】
【０３７１】
１００  蓄電池パック
１０１  二次電池
１０１ａ，１０１ｂ，１０１ｃ  セル
１０２  接続部
１０３，１０４，１２８ａ，１２８ｂ，１２８ｃ  スイッチ
１０５  電力消費部
１０６  記憶部
１０７  制御部
１０８  電圧検知部
１０９  表示部
１０９ａ  残量表示ボタン
１０９ｂ  残量表示部
１０９ｃ  異常表示部
１０９ｄ  放電表示部
１１０  電流測定部
１１１  通信部
１１２  異常検知部
１１４  受付部
１１５  画像表示部
１１６  回路
１１８ａ，１１８ｂ，１１８ｃ  セルバランス用抵抗
１２０，２１０  本体部
１３０  保持部
１４０  ヒーター
１４１  発熱部
１４２  絶縁体
１４３  リード線
２００  充電装置
２０１  プラグ
２０２  端子部
３００  情報端末
３０１  サーバ装置
３０２  回収業者
【図１】
2020124107.tif 000003
【図２】
2020124107.tif 000004
【図３】
2020124107.tif 000005
【図４】
2020124107.tif 000006
【図５】
2020124107.tif 000007
【図６】
2020124107.tif 000008
【図７】
2020124107.tif 000009
【図８】
2020124107.tif 000010
【図９】
2020124107.tif 000011
【図１０】
2020124107.tif 000012
【図１１】
2020124107.tif 000013
【図１２】
2020124107.tif 000014
【図１３】
2020124107.tif 000015
【図１４】
2020124107.tif 000016
【図１５】
2020124107.tif 000017
【図１６】
2020124107.tif 000018
【図１７】
2020124107.tif 000019
【図１８】
2020124107.tif 000020
【図１９】
2020124107.tif 000021
【図２０】
2020124107.tif 000022
【図２１】
2020124107.tif 000023
【図２２】
2020124107.tif 000024
【図２３】
2020124107.tif 000025
【図２４】
2020124107.tif 000026
【図２５】
2020124107.tif 000027
【図２６】
2020124107.tif 000028
【図２７】
2020124107.tif 000029
【図２８】
2020124107.tif 000030
【図２９】
2020124107.tif 000031